(57)【要約】  意図的に小規模の探索および測定を行うことによって、探索効率および節電を向上させるために、無線通信分野に関するセル発見方法、装置、およびシステムが開示される。方法は、ハンドオーバエリアの第1の無線周波数情報および第1の基地局のセルによってサービス提供されるユーザ機器が報告する第2の無線周波数情報を受信した後、第2の無線周波数情報が第1の無線周波数情報に一致するかどうかを第1の基地局によって検出するステップと、一致する場合、第2の基地局のセルの周波数にあるセルまたは第2の基地局のセルのみの信号強度および/もしくは信号品質を測定するようにユーザ機器に指示するために、測定指示メッセージを、第2の無線周波数情報を報告するユーザ機器に送信するステップとを含む。開示される解決策は、セルの探索および発見に使用される。
2014531842.tif 000002
【特許請求の範囲】
【請求項１】
セル発見方法であって、
ハンドオーバエリアの第1の無線周波数情報を第1の基地局によって受信するステップと、
前記第1の基地局のセルによってサービス提供されるユーザ機器が報告する第2の無線周波数情報を前記第1の基地局によって受信するステップと、
前記ユーザ機器によって報告される前記第2の無線周波数情報が前記ハンドオーバエリアの前記第1の無線周波数情報に一致するかどうかを検出するステップと、
前記ユーザ機器によって報告される前記第2の無線周波数情報が、前記ハンドオーバエリアの前記第1の無線周波数情報に一致する場合、第2の基地局のセルの周波数にあるセルまたは前記第2の基地局の前記セルのみの信号強度および/もしくは信号品質を測定するように前記ユーザ機器に指示するために、前記第2の無線周波数情報を報告する前記ユーザ機器に測定指示メッセージを送信するステップと
を含む、方法。
【請求項２】
前記ユーザ機器によって報告される前記第2の無線周波数情報が前記ハンドオーバエリアの前記第1の無線周波数情報に一致するかどうかを検出する前記ステップが、
前記ユーザ機器によって報告される前記第2の無線周波数情報が、前記ハンドオーバエリアの前記第1の無線周波数情報に含まれる無線周波数範囲の値に入るかどうかを検出するステップ、または
前記ユーザ機器によって報告される前記第2の無線周波数情報と、前記ハンドオーバエリアの前記第1の無線周波数情報との差が、事前に設定される無線周波数閾値より小さいかどうかを検出するステップ
を含む、請求項1に記載の方法。
【請求項３】
前記ハンドオーバエリアの前記第1の無線周波数情報および前記ユーザ機器によって報告される前記第2の無線周波数情報が、以下の項目、すなわち、基準信号受信電力(RSRP)、基準信号受信品質(RSRQ)、および到来角(AOA)のうちの少なくとも1つを含む、請求項2に記載の方法。
【請求項４】
ハンドオーバエリアの第1の無線周波数情報を第1の基地局によって受信する前記ステップが、
前記ハンドオーバエリアの前記第1の無線周波数情報を前記第1の基地局によって受信するステップであって、前記第1の無線周波数情報が前記第2の基地局によって送信され、前記ハンドオーバエリアの前記第1の無線周波数情報が、前記第2の基地局の前記セルによってサービス提供される前記ユーザ機器によって前記第2の基地局に報告される、ステップを含む、請求項1から3のいずれか一項に記載の方法。
【請求項５】
ハンドオーバエリアの第1の無線周波数情報を第1の基地局によって受信する前記ステップが、
前記ハンドオーバエリアの前記第1の無線周波数情報を前記第1の基地局によって受信するステップであって、前記第2の基地局の前記セルから前記第1の基地局の前記セルにハンドオーバし、依然として前記ハンドオーバエリア内に位置する前記ユーザ機器によって、前記第1の無線周波数情報が送信される、ステップを含む、請求項1から3のいずれか一項に記載の方法。
【請求項６】
セル発見方法であって、
ハンドオーバエリアの第1の無線周波数情報を第2の基地局によって受信するステップであって、前記第1の無線周波数情報が、前記第2の基地局のセル内のユーザ機器によって報告される、ステップと、
第1の基地局が、前記ハンドオーバエリアの前記第1の無線周波数情報に従って、前記第2の基地局の前記セルの周波数にあるセルまたは前記第2の基地局の前記セルのみの信号強度および/もしくは信号品質を測定するように前記ユーザ機器に指示するために、前記ハンドオーバエリアの前記第1の無線周波数情報を前記第1の基地局に、前記第2の基地局によって送信するステップと
を含む、方法。
【請求項７】
前記ハンドオーバエリアの前記第1の無線周波数情報が、以下の項目、すなわち、基準信号受信電力RSRP、基準信号受信品質RSRQ、および到来角AOAのうちのいずれか1つを含む、請求項6に記載の方法。
【請求項８】
セル発見方法であって、
ユーザ機器の近接度を第2の基地局によって検出するステップと、
第1の基地局が、前記第2の基地局のセルの周波数にあるセルまたは前記第2の基地局の前記セルのみの信号強度および/もしくは信号品質を測定するようにユーザ機器に指示するために、前記第1の基地局に近接度情報を前記第2の基地局によって通知するステップと
を含む、方法。
【請求項９】
前記近接度情報が、
ユーザ識別子、または
周波数領域、および/もしくは時間領域、および/もしくは符号領域、および/もしくは空間領域における、前記ユーザ機器によって使用されるリソース情報を含む、請求項8に記載の方法。
【請求項１０】
第2の基地局によってユーザ機器の近接度を検出する前記ステップが、
前記ユーザ機器のアップリンク信号の送信電力が、事前に設定される電力閾値を超えることを前記第2の基地局によって検出するステップを含む、請求項8または9に記載の方法。
【請求項１１】
第2の基地局によってユーザ機器の近接度を前記検出するステップの前に、
前記第1の基地局のセルによってサービス提供される前記ユーザ機器のアップリンクリソース情報を前記第2の基地局によって受信するステップであって、前記アップリンクリソース情報が前記第1の基地局によって送信される、ステップと、前記アップリンクリソース情報に従って対応するユーザ機器を検出するステップとをさらに含む、請求項10に記載の方法。
【請求項１２】
第1の基地局が、前記第2の基地局のセルの周波数にあるセルまたは前記第2の基地局の前記セルのみの信号強度および/もしくは信号品質を測定するように前記ユーザ機器に指示するために、前記第1の基地局に近接度情報を前記第2の基地局によって通知する前記ステップが、
前記ユーザ機器のアップリンク信号の送信電力が、事前に設定される電力閾値を超えることを前記第2の基地局によって検出し、かつ前記ユーザ機器によって使用される前記リソース情報を獲得するステップと、
前記第1の基地局が、前記リソース情報に従って前記ユーザ機器を識別し、かつ前記第2の基地局の前記セルの前記周波数にある前記セルまたは前記第2の基地局の前記セルのみの前記信号強度および/または前記信号品質を測定するように前記ユーザ機器に指示するために、前記リソース情報を前記第1の基地局に送信するステップと
を含む、請求項8または9に記載の方法。
【請求項１３】
前記リソース情報が、以下の項目、すなわち、物理的リソースブロック(PRB)インデックス、時間領域情報、符号系列インデックス、および空間リソースブロックインデックスのうちの少なくとも1つを含む、請求項12に記載の方法。
【請求項１４】
セル発見方法であって、
ハンドオーバエリアの第1の無線周波数情報を第1の基地局によって受信するステップと、
ユーザ機器によって獲得される第2の無線周波数情報が前記ハンドオーバエリアの前記第1の無線周波数情報に一致するとき、前記ユーザ機器が、第2の基地局のセルの周波数にあるセルまたは前記第2の基地局の前記セルのみの信号強度および/もしくは信号品質を測定するために、前記ハンドオーバエリアの前記第1の無線周波数情報をシステムメッセージに含めて前記第1の基地局によって同報通信するステップと
を含む、方法。
【請求項１５】
前記ハンドオーバエリアの前記第1の無線周波数情報が、前記ユーザ機器によって獲得される前記第2の無線周波数情報に一致するときに前記ユーザ機器が返すユーザ通知メッセージを前記第1の基地局によって受信するステップと、前記ユーザ通知メッセージに従って、前記第2の基地局の前記セルの前記周波数にある前記セルまたは前記第2の基地局の前記セルのみの前記信号強度および/もしくは前記信号品質を測定するように、前記第1の基地局によって、前記ユーザ機器に指示するステップと
をさらに含む、請求項14に記載の方法。
【請求項１６】
ハンドオーバエリアの第1の無線周波数情報を第1の基地局によって受信する前記ステップが、
前記ハンドオーバエリアの前記第1の無線周波数情報を前記第1の基地局によって受信するステップであって、前記第1の無線周波数情報が前記第2の基地局によって送信され、前記ハンドオーバエリアの前記第1の無線周波数情報が、前記第2の基地局の前記セルによってサービス提供される前記ユーザ機器によって前記第2の基地局に報告される、ステップを含む、請求項14または15に記載の方法。
【請求項１７】
ハンドオーバエリアの第1の無線周波数情報を第1の基地局によって受信する前記ステップが、
前記ハンドオーバエリアの前記第1の無線周波数情報を前記第1の基地局によって受信するステップであって、前記第2の基地局の前記セルから前記第1の基地局のセルにハンドオーバし、依然として前記ハンドオーバエリア内に位置する前記ユーザ機器によって、前記第1の無線周波数情報が送信される、ステップを含む、請求項14または15に記載の方法。
【請求項１８】
セル発見方法であって、
ハンドオーバエリアの第1の無線周波数情報をユーザ機器によって受信するステップであって、前記第1の無線周波数情報が第1の基地局によって同報通信される、ステップと、
前記ハンドオーバエリアの前記第1の無線周波数情報が、前記ユーザ機器によって獲得される第2の無線周波数情報に一致するかどうかを前記ユーザ機器によって検出するステップと、
前記ハンドオーバエリアの前記第1の無線周波数情報が、前記ユーザ機器によって獲得される第2の無線周波数情報に一致する場合、第2の基地局のセルの周波数にあるセルまたは前記第2の基地局の前記セルのみの信号強度および/もしくは信号品質を前記ユーザ機器によって測定するステップと
を含む、方法。
【請求項１９】
前記ユーザ機器によって獲得される前記第2の無線周波数情報と、前記ハンドオーバエリアの前記第1の無線周波数情報との一致が、
前記ユーザ機器によって獲得される前記第2の無線周波数情報が、前記ハンドオーバエリアの前記第1の無線周波数情報に含まれる無線周波数範囲の値に入ること、または
前記ユーザ機器によって獲得される前記第2の無線周波数情報と、前記ハンドオーバエリアの前記第1の無線周波数情報との差が、事前に設定される無線周波数閾値より小さいことを含む、請求項18に記載の方法。
【請求項２０】
第2の基地局のセルの周波数にあるセルまたは前記第2の基地局の前記セルのみの信号強度および/もしくは信号品質を前記ユーザ機器によって測定する前記ステップが、
前記ハンドオーバエリアの前記第1の無線周波数情報が、前記ユーザ機器によって獲得される第2の無線周波数情報に一致する場合、前記第1の基地局が、ユーザ通知メッセージに従って、前記第2の基地局の前記セルの前記周波数にある前記セルまたは前記第2の基地局の前記セルのみの前記信号強度および/または前記信号品質を測定するように前記ユーザ機器に指示するために、前記ユーザ通知メッセージを前記第1の基地局に前記ユーザ機器によって送信するステップをさらに含む、請求項19に記載の方法。
【請求項２１】
第1の基地局であって、
ハンドオーバエリアの第1の無線周波数情報を受信するように構成されている第1の情報受信ユニットと、
前記第1の基地局のセルによってサービス提供されるユーザ機器が報告する第2の無線周波数情報を受信するように構成されている第2の情報受信ユニットと、
前記ユーザ機器によって報告される前記第2の無線周波数情報が前記ハンドオーバエリアの前記第1の無線周波数情報に一致するかどうかを検出するように構成されている検出ユニットと、
前記ユーザ機器によって報告される前記第2の無線周波数情報が前記ハンドオーバエリアの前記第1の無線周波数情報に一致することを前記検出ユニットが検出したとき、第2の基地局のセルの周波数にあるセルまたは前記第2の基地局の前記セルのみの信号強度および/もしくは信号品質を測定するように前記ユーザ機器に指示するために、前記第2の無線周波数情報を報告する前記ユーザ機器に測定指示メッセージを送信するように構成されている第1の情報送信ユニットと
を備える、第1の基地局。
【請求項２２】
前記検出ユニットが、
前記ユーザ機器によって報告される前記第2の無線周波数情報が、前記ハンドオーバエリアの前記第1の無線周波数情報に含まれる無線周波数範囲の値に入るかどうかを検出すること、または
前記ユーザ機器によって報告される前記第2の無線周波数情報と、前記ハンドオーバエリアの前記第1の無線周波数情報との差が、事前に設定される無線周波数閾値より小さいかどうかを検出すること
を行うようにさらに構成されている、請求項21に記載の第1の基地局。
【請求項２３】
前記ハンドオーバエリアの前記第1の無線周波数情報および前記ユーザ機器によって報告される前記第2の無線周波数情報が、以下の項目、すなわち、基準信号受信電力(RSRP)、基準信号受信品質(RSRQ)、および到来角(AOA)のうちの少なくとも1つを含む、請求項22に記載の第1の基地局。
【請求項２４】
前記第1の情報受信ユニットが、前記ハンドオーバエリアの前記第1の無線周波数情報を受信するようにさらに構成されており、前記第1の無線周波数情報は前記第2の基地局によって送信され、前記ハンドオーバエリアの前記第1の無線周波数情報は、前記第2の基地局の前記セルによってサービス提供される前記ユーザ機器によって前記第2の基地局に報告される、請求項21から23のいずれか一項に記載の第1の基地局。
【請求項２５】
前記第1の情報受信ユニットが、前記ハンドオーバエリアの前記第1の無線周波数情報を受信するようにさらに構成されており、前記第2の基地局の前記セルから前記第1の基地局の前記セルにハンドオーバし、依然として前記ハンドオーバエリア内に位置する前記ユーザ機器によって、前記第1の無線周波数情報が送信される、請求項21から23のいずれか一項に記載の第1の基地局。
【請求項２６】
第2の基地局であって、
ハンドオーバエリアの第1の無線周波数情報を受信するように構成されている第3の情報受信ユニットであって、前記第1の無線周波数情報が前記第2の基地局のセル内のユーザ機器によって報告される、第3の情報受信ユニットと、
第1の基地局が、前記ハンドオーバエリアの前記第1の無線周波数情報に従って、前記第2の基地局の前記セルの周波数にあるセルまたは前記第2の基地局の前記セルのみの信号強度および/もしくは信号品質を測定するように前記ユーザ機器に指示するために、前記ハンドオーバエリアの前記第1の無線周波数情報を前記第1の基地局に送信するように構成されている第2の情報送信ユニットと
を備える、第2の基地局。
【請求項２７】
前記ハンドオーバエリアの前記第1の無線周波数情報が、以下の項目、すなわち、基準信号受信電力RSRP、基準信号受信品質RSRQ、および到来角AOAのうちの少なくとも1つを含む、請求項26に記載の第2の基地局。
【請求項２８】
第2の基地局であって、
ユーザ機器の近接度を検出するように構成されている検出ユニットと、
第1の基地局が、前記第2の基地局のセルの周波数にあるセルまたは前記第2の基地局の前記セルのみの信号強度および/もしくは信号品質を測定するようにユーザ機器に指示するために、前記第1の基地局に近接度情報を通知するように構成されている情報通知ユニットと
を備える、第2の基地局。
【請求項２９】
前記近接度情報が、ユーザ識別子、または
前記ユーザ機器によって使用されるリソース情報を含む、請求項28に記載の第2の基地局。
【請求項３０】
前記検出ユニットが、前記ユーザ機器のアップリンク信号の送信電力が、事前に設定される電力閾値を超えることを検出するようにさらに構成されている、請求項28または29に記載の第2の基地局。
【請求項３１】
前記第2の基地局が前記ユーザ機器の前記近接度を検出したとき、前記第1の基地局のセルによってサービス提供される前記ユーザ機器のアップリンクリソース情報であって、前記第1の基地局によって送信される、アップリンクリソース情報を受信し、かつ前記アップリンクリソース情報に従って対応するユーザ機器を検出するように構成されている第4の情報受信ユニットをさらに備える、請求項30に記載の第2の基地局。
【請求項３２】
前記情報通知ユニットが、
前記ユーザ機器によって使用される前記リソース情報を獲得するように構成されている情報獲得サブユニットであって、前記ユーザ機器のアップリンク信号の送信電力が、事前に設定される電力閾値を超えることを前記第2の基地局が検出する、情報獲得サブユニットと、
前記第1の基地局が、前記リソース情報に従って前記ユーザ機器を識別し、前記第2の基地局の前記セルの前記周波数にある前記セルまたは前記第2の基地局の前記セルのみの前記信号強度および/もしくは前記信号品質を測定するように前記ユーザ機器に指示するために、前記第1の基地局に前記リソース情報を通知するように構成されている情報通知サブユニットと
をさらに備える、請求項28または29に記載の第2の基地局。
【請求項３３】
前記リソース情報が、以下の項目、すなわち、物理的リソースブロック(PRB)インデックス、時間領域情報、符号系列インデックス、および空間リソースブロックインデックスのうちの少なくとも1つを含む、請求項32に記載の第2の基地局。
【請求項３４】
第1の基地局であって、
ハンドオーバエリアの第1の無線周波数情報を受信するように構成されている第5の情報受信ユニットと、
ユーザ機器によって獲得される第2の無線周波数情報が前記ハンドオーバエリアの前記第1の無線周波数情報に一致するとき、前記ユーザ機器が、第2の基地局のセルの周波数にあるセルまたは前記第2の基地局の前記セルのみの信号強度および/もしくは信号品質を測定するために、前記ハンドオーバエリアの前記第1の無線周波数情報をシステムメッセージに含めて同報通信するように構成されている情報同報通信ユニットと
を備える、第1の基地局。
【請求項３５】
前記ユーザ機器によって獲得される前記第2の無線周波数情報が前記ハンドオーバエリアの前記第1の無線周波数情報に一致するとき、前記ユーザ機器が返すユーザ通知メッセージを受信し、かつ前記ユーザ通知メッセージに従って、前記第2の基地局の前記セルの前記周波数にある前記セルまたは前記第2の基地局の前記セルのみの前記信号強度および/もしくは前記信号品質を測定するように前記ユーザ機器に指示するように構成されているメッセージ受信兼指示ユニット
をさらに備える、請求項34に記載の第1の基地局。
【請求項３６】
前記第1の情報受信ユニットが、前記ハンドオーバエリアの前記第1の無線周波数情報を受信するように構成されており、前記第1の無線周波数情報が前記第2の基地局によって送信され、前記ハンドオーバエリアの前記第1の無線周波数情報が、前記第2の基地局の前記セルによってサービス提供される前記ユーザ機器によって、前記第2の基地局に報告される、請求項34から36のいずれか一項に記載の第1の基地局。
【請求項３７】
前記第1の情報受信ユニットが、前記ハンドオーバエリアの前記第1の無線周波数情報を受信するように構成されており、前記第2の基地局の前記セルから前記第1の基地局のセルにハンドオーバし、依然として前記ハンドオーバエリア内に位置する前記ユーザ機器によって、前記第1の無線周波数情報が送信される、請求項34から36のいずれか一項に記載の第1の基地局。
【請求項３８】
ユーザ機器であって、
ハンドオーバエリアの第1の無線周波数情報を受信するように構成されているユーザ受信ユニットであって、前記第1の無線周波数情報が第1の基地局によって同報通信される、ユーザ受信ユニットと、
前記ハンドオーバエリアの前記第1の無線周波数情報が、前記ユーザ機器によって獲得される第2の無線周波数情報に一致するかどうかを検出するように構成されているユーザ検出ユニットと、
前記ハンドオーバエリアの前記第1の無線周波数情報が、前記ユーザ機器によって獲得される第2の無線周波数情報に一致することを前記ユーザ検出ユニットが検出したとき、第2の基地局のセルの周波数にあるセルまたは前記第2の基地局の前記セルのみの信号強度および/もしくは信号品質を測定するように構成されているユーザ測定ユニットと
を備える、ユーザ機器。
【請求項３９】
前記ユーザ検出ユニットが、前記ユーザ機器によって獲得される前記第2の無線周波数情報が、前記ハンドオーバエリアの前記第1の無線周波数情報に含まれる無線周波数範囲の値に入るかどうかを検出すること、または
前記ユーザ機器によって獲得される前記第2の無線周波数情報と、前記ハンドオーバエリアの前記第1の無線周波数情報との差が、事前に設定される無線周波数閾値より小さいことを検出すること
を行うように構成されている、請求項38に記載のユーザ機器。
【請求項４０】
前記ユーザ測定ユニットが、
前記ハンドオーバエリアの前記第1の無線周波数情報が、前記ユーザ機器によって獲得される第2の無線周波数情報に一致することを前記ユーザ検出ユニットが検出したとき、前記第1の基地局が、ユーザ通知メッセージに従って、信号品質を測定するように前記ユーザ機器に指示するために、前記ユーザ通知メッセージを前記第1の基地局に送信するように構成されているユーザ送信サブユニットと、
前記第1の基地局からの命令に従って、前記第2の基地局の前記セルの前記周波数にある前記セルまたは前記第2の基地局の前記セルのみの信号強度および/もしくは信号品質を測定するように構成されているユーザ測定サブユニットと
をさらに備える、請求項39に記載のユーザ機器。
【請求項４１】
請求項20から25のいずれか一項に記載の第1の基地局および請求項26または27に記載の第2の基地局、ならびに/または
請求項28から33のいずれか一項に記載の第2の基地局、ならびに/または
請求項34から38のいずれか一項に記載の第1の基地局および請求項39または40に記載のユーザ機器
を備える、セル発見システム。 
【発明の詳細な説明】
【技術分野】
【０００１】
本出願は、その全体が参照により本明細書に組み込まれている2011年10月2日に中国特許庁に出願された、「CELL DISCOVERY METHOD, DEVICE, AND SYSTEM」という名称の中国特許出願第201110294098.2号の優先権を主張するものである。
【０００２】
本発明は、無線通信システムに関し、詳細には、セル発見方法、装置、およびシステムに関する。
【背景技術】
【０００３】
現在、異なるタイプのネットワーク間の接続は、そのほとんどが異種ネットワーク間の接続である。異なるタイプの基地局が、ある異種ネットワークに配備される。無線通信システムのスループットを向上させ、ユーザ機器にサービス提供するセルの負荷を減少させるために、ユーザ機器は、探索および測定によって、セルのハンドオーバを行うのに適切な隣接セルを発見する必要がある。
【０００４】
従来技術のセル発見方法では、ユーザ機器は、サービス提供側基地局からの命令に従い、他の基地局のセルに対する大規模な探索および測定を手探り状態で開始し、次いで適切な隣接セルを発見し、発見した隣接セルに対する信号測定を行った後、セルのハンドオーバを行うかどうかを決定する。
【０００５】
セル発見を行う処理では、ユーザ機器は大規模な探索を手探り状態で行う必要があり、これは極めて多くの電力を消費する。
【発明の概要】
【発明が解決しようとする課題】
【０００６】
本発明の各実施形態は、意図的に小規模の探索および測定を行うことによって、探索効率および節電を向上させるために、セル発見方法、装置、およびシステムを提供する。
【課題を解決するための手段】
【０００７】
上記の目的を実現するために、本発明の実施形態は以下の技術的解決策を用いる。
【０００８】
セル発見方法は、
ハンドオーバエリアの第1の無線周波数情報を第1の基地局によって受信するステップと、
第1の基地局のセルによってサービス提供されるユーザ機器が報告する第2の無線周波数情報を第1の基地局によって受信するステップと、
ユーザ機器によって報告される第2の無線周波数情報がハンドオーバエリアの第1の無線周波数情報に一致するかどうかを検出するステップと、
ユーザ機器によって報告される第2の無線周波数情報が、ハンドオーバエリアの第1の無線周波数情報に一致する場合、第2の基地局のセルの周波数にあるセルまたは第2の基地局のセルのみの信号強度および/もしくは信号品質を測定するようにユーザ機器に指示するために、第2の無線周波数情報を報告するユーザ機器に測定指示メッセージを送信するステップと
を含む。
【０００９】
セル発見方法は、
ハンドオーバエリアの第1の無線周波数情報を第2の基地局によって受信するステップであって、第1の無線周波数情報が、第2の基地局のセル内のユーザ機器によって報告される、ステップと、
第1の基地局が、ハンドオーバエリアの第1の無線周波数情報に従って、第2の基地局のセルの周波数にあるセルまたは第2の基地局のセルのみの信号強度および/もしくは信号品質を測定するようにユーザ機器に指示するために、ハンドオーバエリアの第1の無線周波数情報を第1の基地局に、第2の基地局によって送信するステップと
を含む。
【００１０】
セル発見方法は、
ユーザ機器の近接度を第2の基地局によって検出するステップと、
第1の基地局が、第2の基地局のセルの周波数にあるセルまたは第2の基地局のセルのみの信号強度および/もしくは信号品質を測定するようにユーザ機器に指示するために、第1の基地局に近接度情報を第2の基地局によって通知するステップと
を含む。
【００１１】
セル発見方法は、
ハンドオーバエリアの第1の無線周波数情報を第1の基地局によって受信するステップと、
ユーザ機器によって獲得される第2の無線周波数情報がハンドオーバエリアの第1の無線周波数情報に一致するとき、ユーザ機器が、第2の基地局のセルの周波数にあるセルまたは第2の基地局のセルのみの信号強度および/もしくは信号品質を測定するために、ハンドオーバエリアの第1の無線周波数情報をシステムメッセージに含めて第1の基地局によって同報通信するステップと
を含む。
【００１２】
セル発見方法は、
ハンドオーバエリアの第1の無線周波数情報をユーザ機器によって受信するステップであって、第1の無線周波数情報が第1の基地局によって同報通信される、ステップと、
ハンドオーバエリアの第1の無線周波数情報が、ユーザ機器によって獲得される第2の無線周波数情報に一致するかどうかを検出するステップと、
それらが一致する場合、第2の基地局のセルの周波数にあるセルまたは第2の基地局のセルのみの信号強度および/もしくは信号品質を測定するステップと
を含む。
【００１３】
第1の基地局は、
ハンドオーバエリアの第1の無線周波数情報を受信するように構成されている第1の情報受信ユニットと、
第1の基地局のセルによってサービス提供されるユーザ機器が報告する第2の無線周波数情報を受信するように構成されている第2の情報受信ユニットと、
ユーザ機器によって報告される第2の無線周波数情報がハンドオーバエリアの第1の無線周波数情報に一致するかどうかを検出するように構成されている検出ユニットと、
それらが一致することを検出ユニットが検出したとき、第2の基地局のセルの周波数にあるセルまたは第2の基地局のセルのみの信号強度および/もしくは信号品質を測定するようにユーザ機器に指示するために、第2の無線周波数情報を報告するユーザ機器に測定指示メッセージを送信するように構成されている第1の情報送信ユニットと
を含む。
【００１４】
第2の基地局は、
ハンドオーバエリアの第1の無線周波数情報を受信するように構成されている第3の情報受信ユニットであって、第1の無線周波数情報が第2の基地局のセル内のユーザ機器によって報告される、第3の情報受信ユニットと、
第1の基地局が、ハンドオーバエリアの第1の無線周波数情報に従って、第2の基地局のセルの周波数にあるセルまたは第2の基地局のセルのみの信号強度および/もしくは信号品質を測定するようにユーザ機器に指示するために、ハンドオーバエリアの第1の無線周波数情報を第1の基地局に送信するように構成されている第2の情報送信ユニットと
を含む。
【００１５】
第2の基地局は、
ユーザ機器の近接度を検出するように構成されている検出ユニットと、
第1の基地局が、第2の基地局のセルの周波数にあるセルまたは第2の基地局のセルのみの信号強度および/もしくは信号品質を測定するようにユーザ機器に指示するために、第1の基地局に近接度情報を通知するように構成されている情報通知ユニットと
を含む。
【００１６】
第1の基地局は、
ハンドオーバエリアの第1の無線周波数情報を受信するように構成されている第5の情報受信ユニットと、
ユーザ機器によって獲得される第2の無線周波数情報がハンドオーバエリアの第1の無線周波数情報に一致するとき、ユーザ機器が、第2の基地局のセルの周波数にあるセルまたは第2の基地局のセルのみの信号強度および/もしくは信号品質を測定するために、ハンドオーバエリアの第1の無線周波数情報をシステムメッセージに含めて同報通信するように構成されている情報同報通信ユニットと
を含む。
【００１７】
ユーザ機器は、
ハンドオーバエリアの第1の無線周波数情報を受信するように構成されているユーザ受信ユニットであって、第1の無線周波数情報が第1の基地局によって同報通信される、ユーザ受信ユニットと、
ハンドオーバエリアの第1の無線周波数情報が、ユーザ機器によって獲得される第2の無線周波数情報に一致するかどうかを検出するように構成されているユーザ検出ユニットと、
それらが一致することをユーザ検出ユニットが検出したとき、第2の基地局のセルの周波数にあるセルまたは第2の基地局のセルのみの信号強度および/もしくは信号品質を測定するように構成されているユーザ測定ユニットと
を含む。
【００１８】
セル発見システムは、
上記の第1の基地局および第2の基地局、ならびに/または
上記の第2の基地局、ならびに/または
上記の第1の基地局およびユーザ機器
を含む。
【００１９】
本発明の実施形態は、セル発見方法、装置、およびシステムを提供する。ハンドオーバエリアの第1の無線周波数情報が受信され、かつ第1の基地局のセルによってサービス提供されるユーザ機器が報告する第2の無線周波数情報が受信された後、ユーザ機器によって報告される第2の無線周波数情報がハンドオーバエリアの第1の無線周波数情報に一致するかどうかが検出され、それらが一致する場合、第2の基地局のセルの周波数にあるセルまたは第2の基地局のセルのみの信号強度および/もしくは信号品質を測定するようにユーザ機器に指示するために、第2の無線周波数情報を報告するユーザ機器に測定指示メッセージが送信される。このように、小規模の探索および測定を意図的に行うことができ、それによって探索効率が向上し、節電効果が実現される。また、第2の基地局は、ユーザ機器の近接度を検出し、かつ第1の基地局に近接度情報を通知し、それにより、第1の基地局は、第2の基地局のセルの周波数にあるセルまたは第2の基地局のセルのみの信号強度および/もしくは信号品質を測定するようにユーザ機器に指示する。このように、小規模の探索および測定を意図的に行うこともでき、それによって探索効率が向上し、節電効果が実現される。さらに、第1の基地局と第2の基地局の間に位置するハンドオーバエリアの第1の無線周波数情報を受信した後、第1の基地局は、ハンドオーバエリアの第1の無線周波数情報をシステムメッセージに含めて同報通信し、それにより、ユーザ機器によって獲得される第2の無線周波数がハンドオーバエリアの第1の無線周波数情報に一致するとき、ユーザ機器は、第2の基地局のセルの周波数にあるセルまたは第2の基地局のセルのみの信号強度および/もしくは信号品質を測定する。このように、小規模の探索および測定を意図的に行うことができ、それによって探索効率が向上し、節電効果が実現される。
【００２０】
本発明の実施形態または従来技術における技術的解決策をより明確に説明するために、以下、実施形態または従来技術の説明に必要な添付の図面を簡単に紹介する。以下の説明における添付の図面は、本発明のいくつかの実施形態を示しているにすぎないのは明らかであり、当業者は依然として、創造的な労力を必要とすることなく、これらの添付の図面から他の図を得ることができる。
【図面の簡単な説明】
【００２１】
【図１】実施形態1によるセル発見方法のフローチャートである。
【図２】実施形態1によるセル発見方法のフローチャートである。
【図３】実施形態1による別のセル発見方法のフローチャートである。
【図４】実施形態1による別のセル発見方法のフローチャートである。
【図５】実施形態1による別のセル発見方法のフローチャートである。
【図６】実施形態2による別のセル発見方法のフローチャートである。
【図７】一実施形態によるセル発見方法の適用シナリオの図である。
【図８】実施形態3によるセル発見方法のフローチャートである。
【図９】実施形態3による別のセル発見方法のフローチャートである。
【図１０】実施形態4によるセル発見方法のフローチャートである。
【図１１】実施形態5による第1の基地局の構造ブロック図である。
【図１２】実施形態5による第2の基地局の構造ブロック図である。
【図１３】実施形態5による別の第2の基地局の構造ブロック図である。
【図１４】実施形態5による別の第2の基地局の構造ブロック図である。
【図１５】実施形態5による別の第2の基地局の構造ブロック図である。
【図１６】実施形態5による別の第1の基地局の構造ブロック図である。
【図１７】実施形態5による別の第1の基地局の構造ブロック図である。
【図１８】実施形態5によるユーザ機器の構造ブロック図である。
【図１９】実施形態5による別の第1の基地局の構造ブロック図である。
【図２０】実施形態5によるセル発見システムの概略図である。
【図２１】実施形態5による別のセル発見システムの概略図である。
【発明を実施するための形態】
【００２２】
以下、本発明の実施形態において、添付の図面を参照しながら、本発明の実施形態の技術的解決策を明確かつ完全に説明する。説明する実施形態は、本発明の実施形態のすべてではなく一部にすぎないのは明らかである。創造的な労力を必要とすることなく当業者が本発明の実施形態に基づいて得る他のすべての実施形態は、本発明の保護範囲内にあるものとする。
【００２３】
本発明の実施形態1から5で説明するハンドオーバエリアは、ユーザ機器が第2の基地局から第1の基地局にハンドオーバするエリアを指す。ハンドオーバエリアの第1の無線周波数情報は、第2の基地局のセルの周波数情報および/または第2の基地局のセルの識別子を搬送し、ここでは、第2の基地局がハンドオーバエリアに対応する。
【００２４】
本発明の実施形態1から5においては、第2の無線周波数情報を測定するユーザ機器は、信号強度および/または信号品質を最後に測定するユーザ機器と同じであっても、異なっていてもよい。本明細書において限定はしない。
【００２５】
実施形態1
本発明の本実施形態はセル発見方法を提供する。この方法は第1の基地局側で使用される。図1に示すように、この方法は以下のステップを含む。
【００２６】
101.  第1の基地局はハンドオーバエリアの第1の無線周波数情報を受信する。
【００２７】
第1の無線周波数情報はハンドオーバエリアの無線周波数情報である。第1の無線周波数情報は、ハンドオーバエリア内に位置するユーザ機器によって、測定により取得される。第1の無線周波数情報によって、ハンドオーバエリアの地理情報をマッピングすることができる。
【００２８】
102.  第1の基地局は、第1の基地局のセルによってサービス提供されるユーザ機器が報告する第2の無線周波数情報を受信する。
【００２９】
第1の基地局のセルによってサービス提供されるユーザ機器は、ユーザ機器にサービス提供する第1の基地局に、第2の無線周波数情報を、事前に設定される時間間隔で定期的に報告することができる。第2の無線周波数情報は、ユーザ機器の位置においてユーザ機器によって測定され、したがって、第2の無線周波数情報によって、ユーザ機器の位置の地理情報をマッピングすることができる。。
【００３０】
103.  ユーザ機器によって報告される第2の無線周波数情報がハンドオーバエリアの第1の無線周波数情報に一致するかどうかを検出する。
【００３１】
第1の無線周波数情報によって、ハンドオーバエリアの地理情報をマッピングすることができ、第2の無線周波数情報によって、ユーザ機器の位置の地理情報をマッピングすることができる。。したがって、ユーザ機器によって報告される第2の無線周波数情報がハンドオーバエリアの第1の無線周波数情報に一致するかどうかを検出することによって、第2の無線周波数情報を報告したユーザ機器がハンドオーバエリアに既に接近しているかどうかを判定することができる。
【００３２】
104.  それらが一致する場合、第2の基地局のセルの周波数にあるセルまたは第2の基地局のセルのみの信号強度および/もしくは信号品質を測定するようにユーザ機器に指示するために、第2の無線周波数情報を報告するユーザ機器に測定指示メッセージを送信する。
【００３３】
ユーザ機器によって報告される第2の無線周波数情報がハンドオーバエリアの第1の無線周波数情報に一致することが検出された場合、第2の無線周波数情報を報告するユーザ機器がハンドオーバエリアに既に接近していると判定することができ、この場合、第1の基地局は、第2の無線周波数情報を報告するユーザ機器に測定指示メッセージを送信することができ、ここでは、第2の無線周波数情報はハンドオーバエリアの第1の無線周波数情報に一致し、測定指示メッセージは、第2の基地局のセルの周波数情報および/または第2の基地局のセルの識別子を含み、第2の基地局のセルの周波数にあるセルの信号強度および/もしくは信号品質を測定するか、または第2の基地局のセルのみの信号強度および/もしくは信号品質を測定するようにユーザ機器に指示することができる。
【００３４】
事前設定された閾値を超える信号強度および/または信号品質を有するターゲット基地局は、信号強度および/または信号品質を測定することによって得ることができる。信号強度および/または信号品質を測定するユーザ機器は、測定の結果を第1の基地局に判定レポートの形で報告することができる。測定の結果がハンドオーバ条件を満たす場合、第1の基地局は、判定レポートに従ってハンドオーバ要求をターゲットセルに送信することができ、ターゲット基地局は、ターゲット基地局のセルのリソース状況に従って、ユーザ機器の受け入れを決定し、かつハンドオーバ応答を第1の基地局に送信し、第1の基地局はハンドオーバ命令をユーザ機器に送信し、ユーザ機器はターゲット基地局のセルにハンドオーバする。
【００３５】
本発明の本実施形態においてさらに提供される方法が第2の基地局側で使用され、図2に示すように、この方法は以下のステップを含む。
【００３６】
201.  第2の基地局は、ハンドオーバエリアの第1の無線周波数情報を受信し、ここでは、第2の基地局のセルによってサービス提供されるユーザ機器が第1の無線周波数情報を報告する。
【００３７】
第1の基地局のセルにハンドオーバする前に、ハンドオーバエリア内に位置し、第2の基地局のセルによってサービス提供されるユーザ機器は、第1の無線周波数情報を第2の基地局に送信することができ、ここでは、第1の無線周波数情報は、ユーザ機器の位置においてユーザ機器によって測定され、第1の無線周波数情報はハンドオーバエリアの無線周波数情報であり、第1の無線周波数情報は、ハンドオーバエリア内に位置するユーザ機器により測定によって取得され、第1の無線周波数情報によって、ハンドオーバエリアの地理情報をマッピングすることができる。
【００３８】
202.  第2の基地局は、ハンドオーバエリアの第1の無線周波数情報を第1の基地局に送信する。
【００３９】
第2の基地局は、X2、IUR、S1、IUインターフェースを介して、または無線電波インターフェース(たとえば、マイクロ波インターフェースもしくはホスト基地局と中継ノードの間のインターフェース)を介して、ハンドオーバエリアの第1の無線周波数情報を第1の基地局に送信することができ、それにより、第1の基地局は、ハンドオーバエリアの第1の無線周波数情報に従って、第2の基地局のセルの周波数にあるセルまたは第2の基地局のセルのみの信号強度および/もしくは信号品質を測定するようにユーザ機器に指示するが、ここで、第1の基地局の動作は、第1の基地局側でセル発見方法が使用される場合において具体的に説明してあり、それ以上の詳細は本明細書に記載されていない。
【００４０】
本発明の本実施形態において提供されるセル発見方法によれば、第1の基地局は、ハンドオーバエリアの第1の無線周波数情報を受信し、かつ第1の基地局のセルによってサービス提供されるユーザ機器が報告する第2の無線周波数情報を受信し、次いで、ユーザ機器によって報告される第2の無線周波数情報がハンドオーバエリアの第1の無線周波数情報に一致するかどうかを検出し、それらが一致する場合、測定指示メッセージを、第2の無線周波数情報を報告するユーザ機器に送信し、それによって、第2の基地局のセルの周波数にあるセルまたは第2の基地局のセルのみの信号強度および/もしくは信号品質を測定するようにユーザ機器に指示する。このように、小規模の探索および測定を意図的に行うことができ、それによって探索効率が向上し、節電効果が実現される。
【００４１】
本発明の本実施形態は、セル発見方法をさらに提供する。この方法は第2の基地局側で使用される。図3に示すように、この方法は以下のステップを含む。
【００４２】
301.  第2の基地局はユーザ機器の近接度を検出する。
【００４３】
受信機が第2の基地局の装置に設置され、したがって、アップリンク受信機能がサポートされ、ユーザ機器が第2の基地局に接近したことを検出するために、ユーザ機器が送信するアップリンクメッセージが検出される。
【００４４】
302.  第1の基地局が、第2の基地局のセルの周波数にあるセルまたは第2の基地局のセルのみの信号強度および/もしくは信号品質を測定するようにユーザ機器に指示するために、第2の基地局は第1の基地局に近接度情報を通知する。
【００４５】
第2の基地局は、X2、IUR、S1、およびIUインターフェースを介して、または無線電波インターフェース(たとえば、マイクロ波インターフェースもしくはホスト基地局と中継ノードの間のインターフェース)を介して、第1の基地局に近接度情報を通知することができる。
【００４６】
ユーザ機器の近接度を検出したとき、第2の基地局は第1の基地局に近接度情報の形で情報を通知することができ、ここでは、近接度情報は、第2の基地局に接近するユーザ機器に関する何らかの情報ならびに第2の基地局のセルの周波数情報および/または第2の基地局のセルの識別子を含み、第1の基地局は、近接度情報に従って、第2の基地局の周波数における信号強度および/もしくは信号品質を測定するか、または第2の基地局のみの信号強度および/もしくは信号品質を測定するように、第2の基地局に接近するユーザ機器に指示する。
【００４７】
事前設定された閾値を超える信号強度および/または信号品質を有するターゲット基地局は、信号強度および/または信号品質を測定することによって得ることができる。信号強度および/または信号品質を測定するユーザ機器は、測定の結果を第1の基地局に判定レポートの形で報告することができる。測定の結果がハンドオーバ条件を満たす場合、第1の基地局は、判定レポートに従ってハンドオーバ要求をターゲットセルに送信することができ、ターゲット基地局は、ターゲット基地局のセルのリソース状況に従って、ユーザ機器の受け入れを決定し、かつハンドオーバ応答を第1の基地局に送信し、第1の基地局はハンドオーバ命令をユーザ機器に送信し、ユーザ機器は、ターゲット基地局のセルにハンドオーバする。
【００４８】
本発明の本実施形態においてさらに提供されるセル発見方法によれば、第2の基地局はユーザ機器の近接度を検出し、第1の基地局に近接度情報を通知し、それにより、第1の基地局は、信号品質を測定するようにユーザ機器に指示する。このように、小規模の探索および測定を意図的に行うことができ、それによって探索効率が向上し、節電効果が実現される。
【００４９】
本発明の本実施形態は、セル発見方法をさらに提供する。この方法は第1の基地局側で使用される。図4に示すように、この方法は以下のステップを含む。
【００５０】
401.  第1の基地局は、ハンドオーバエリアの第1の無線周波数情報を受信する。
【００５１】
第1の無線周波数情報はハンドオーバエリアの無線周波数情報である。第1の無線周波数情報は、ハンドオーバエリア内に位置するユーザ機器によって、測定により取得される。第1の無線周波数情報によって、ハンドオーバエリアの地理情報をマッピングすることができる。
【００５２】
402.  ユーザ機器によって獲得される第2の無線周波数情報が、ハンドオーバエリアの第1の無線周波数情報に一致するとき、ユーザ機器が、第2の基地局のセルの周波数にあるセルまたは第2の基地局のセルのみの信号強度および/もしくは信号品質を測定するために、第1の基地局は、ハンドオーバエリアの第1の無線周波数情報をシステムメッセージに含めて同報通信する。
【００５３】
ハンドオーバエリアの第1の無線周波数情報を受信した後、第1の基地局は、第1の無線周波数情報をシステムメッセージに含めて同報通信し、それにより、第1の基地局のセルによってサービス提供されるすべてのユーザ機器が、第1の無線周波数情報を受信することができる。ユーザ機器は、ユーザ機器が位置するエリアの第2の無線周波数情報を定期的に測定することができ、したがって、第2の無線周波数情報によって、ユーザ機器の位置の地理情報をマッピングすることができる。。ユーザ機器が、第2の無線周波数情報がハンドオーバエリアの第1の無線周波数情報に一致することを検出した場合、ユーザ機器がハンドオーバエリアに既に接近していると判定することができ、この場合、ユーザ機器は、第2の基地局のセルの周波数における信号強度および/もしくは信号品質を測定するか、または第2の基地局のセルのみの信号強度および/もしくは信号品質を測定するように作動されてもよい。
【００５４】
事前設定された閾値を超える信号強度および/または信号品質を有するターゲット基地局は、信号強度および/または信号品質を測定することによって得ることができる。信号強度および/または信号品質を測定するユーザ機器は、測定の結果を第1の基地局に判定レポートの形で報告することができる。測定の結果がハンドオーバ条件を満たす場合、第1の基地局は、判定レポートに従って、ハンドオーバ要求をターゲットセルに送信することができ、ターゲット基地局は、ターゲット基地局のセルのリソース状況に従って、ユーザ機器の受け入れを決定し、かつハンドオーバ応答を第1の基地局に送信し、第1の基地局はハンドオーバ命令をユーザ機器に送信し、ユーザ機器は、ターゲット基地局のセルにハンドオーバする。
【００５５】
ユーザ機器側で使用される方法が提供され、図5に示すように、この方法は以下のステップを含む。
【００５６】
501.  ユーザ機器は、ハンドオーバエリアの第1の無線周波数情報を受信し、ここでは、第1の無線周波数情報は第1の基地局によって同報通信される。
【００５７】
ハンドオーバエリアは、第2の基地局のセルから第1の基地局のセルにハンドオーバするすべてのユーザ機器の位置をカバーするエリアである。
【００５８】
第1の無線周波数情報はハンドオーバエリアの無線周波数情報である。第1の無線周波数情報は、ハンドオーバエリア内に位置するユーザ機器によって、測定により取得される。第1の無線周波数情報にハンドオーバエリアの地理情報をマッピングできることは、第1の無線周波数情報を得る方法から分かる。
【００５９】
ハンドオーバエリアの第1の無線周波数情報を受信した後、第1の基地局は、第1の無線周波数情報をシステムメッセージに含めて同報通信し、それにより、第1の基地局のセルによってサービス提供されるすべてのユーザ機器は、第1の無線周波数情報を受信することができる。
【００６０】
502.  ハンドオーバエリアの第1の無線周波数情報が、ユーザ機器によって獲得される第2の無線周波数情報に一致するかどうかを検出する。
【００６１】
ユーザ機器は、ユーザ機器が位置するエリアの第2の無線周波数情報を定期的に測定することができ、したがって、第2の無線周波数情報によって、ユーザ機器の位置の地理情報をマッピングすることができる。。ユーザ機器は、第2の無線周波数情報がハンドオーバエリアの第1の無線周波数情報に一致するかどうかを自動的に検出し、それによって、ユーザ機器がハンドオーバエリアに既に接近しているかどうかを判定する。
【００６２】
503.  それらが一致する場合、第2の基地局のセルの周波数にあるセルまたは第2の基地局のセルのみの信号強度および/もしくは信号品質を測定する。
【００６３】
ユーザ機器が、第2の無線周波数情報がハンドオーバエリアの第1の無線周波数情報に一致することを検出した場合、ユーザ機器がハンドオーバエリアに既に接近していると判定することができ、ここでは、ユーザ機器は、第2の基地局のセルの周波数における信号強度および/もしくは信号品質を測定するか、または第2の基地局のセルのみの信号強度および/もしくは信号品質を測定するように始動することができる。
【００６４】
事前設定された閾値を超える信号強度および/または信号品質を有するターゲット基地局は、信号強度および/または信号品質を測定することによって得ることができる。信号強度および/または信号品質を測定するユーザ機器は、測定の結果を第1の基地局に判定レポートの形で報告することができる。測定の結果がハンドオーバ条件を満たす場合、第1の基地局は、判定レポートに従って、ハンドオーバ要求をターゲットセルに送信することができ、ターゲット基地局は、ターゲット基地局のセルのリソース状況に従って、ユーザ機器の受け入れを決定し、かつハンドオーバ応答を第1の基地局に送信し、第1の基地局はハンドオーバ命令をユーザ機器に送信し、ユーザ機器は、ターゲット基地局のセルにハンドオーバする。
【００６５】
本発明の本実施形態においてさらに提供されるセル発見方法によれば、第1の基地局は、第1の基地局と第2の基地局の間に位置するハンドオーバエリアの第1の無線周波数情報を受信し、ハンドオーバエリアの第1の無線周波数情報をシステムメッセージに含めて同報通信し、それにより、ユーザ機器によって獲得される第2の無線周波数が、ハンドオーバエリアの第1の無線周波数情報に一致するとき、ユーザ機器は、第2の基地局のセルの周波数にあるセルまたは第2の基地局のセルのみの信号強度および/もしくは信号品質を測定する。このように、小規模の探索および測定を意図的に行うことができ、それによって探索効率が向上し、節電効果が実現される。
【００６６】
実際の適用例では、本発明の実施形態1において、第1の基地局は大型基地局であってもよく、第2の基地局は低出力の基地局であっても大型基地局であってもよい。低出力の基地局は、限定はしないが、pico基地局、RRH(Remote Radio Head、無線信号送受信機)、RRU(Radio Remote Unit、無線遠隔ユニット)、Relay(中継器)、NB(NodeB、基地局ノード)、BS(Base Station Controller、基地局)、femto(家庭用基地局)、LTE HIFI(高速ネットワーク)、WiFi(ワイヤレス広帯域)、またはD2Dのユーザ機器などを含む。
【００６７】
実施形態2
本発明の本実施形態はセル発見方法を提供する。図6に示すように、この方法は以下のステップを含む。
【００６８】
601.  第2の基地局は、ハンドオーバエリアの第1の無線周波数情報を受信し、ここでは、第1の無線周波数情報は第2の基地局のセル内のユーザ機器によって報告される。
【００６９】
ハンドオーバエリアの第1の無線周波数情報は、以下の項目、すなわち、RSRP(reference signal received power:基準信号受信電力)、RSRQ(reference signal received quality:基準信号受信品質)、およびAOA(angle of arrival:到来角)のうちの少なくとも1つを含む。
【００７０】
第2の基地局のセルによってサービス提供されるユーザ機器はハンドオーバエリア内に位置し、第1の基地局のセルにハンドオーバする前に、ユーザ機器は第1の無線周波数情報を第2の基地局に送信することができ、ここで、第1の無線周波数情報は、ユーザ機器の位置においてユーザ機器によって測定され、第1の無線周波数情報はハンドオーバエリアの無線周波数情報であり、第1の無線周波数情報は、ハンドオーバエリア内に位置するユーザ機器により測定によって取得され、第1の無線周波数情報によって、ハンドオーバエリアの地理情報をマッピングすることができる。第2の基地局のセルによってサービス提供されるユーザ機器は、ハンドオーバエリアの第1の無線周波数情報を第2の基地局に報告する。
【００７１】
602.  第2の基地局は、ハンドオーバエリアの第1の無線周波数情報を第1の基地局に送信する。
【００７２】
ハンドオーバエリアの第1の無線周波数情報を受信した後、第2の基地局はその情報を第1の基地局に送信し、ここでは、第1の無線周波数情報は第2の基地局のセル内のユーザ機器によって報告され、第1の基地局は、第1の無線周波数情報が第2の基地局によって送信されるハンドオーバエリアの第1の無線周波数情報を受信する。
【００７３】
601から602に記載の方法では、第1の基地局がハンドオーバエリアの第1の無線周波数情報を受信し、ここでは、第1の無線周波数情報は第2の基地局によって送信され、ハンドオーバエリアの第1の無線周波数情報は、第2の基地局のセルによってサービス提供されるユーザ機器によって、第2の基地局に報告される。
【００７４】
あるいは、第1の基地局は、第1の無線周波数情報が第2の基地局のセルから第1の基地局のセルにちょうどハンドオーバしたユーザ機器によって送信されるハンドオーバエリアの第1の無線周波数情報を受信してもよい。ユーザ機器が第2の基地局のセルから第1の基地局のセルへのハンドオーバを完了するとき、ユーザ機器のサービス提供側基地局が第2の基地局から第1の基地局に切り替わる場合、第1の基地局は、ユーザ機器が位置するエリアの第1の無線周波数情報を測定するように迅速にユーザ機器を作動させ、ユーザ機器は、ハンドオーバエリアの測定された第1の無線周波数情報を第1の基地局に送信する。
【００７５】
603.  第1の基地局は、第1の基地局のセルによってサービス提供されるユーザ機器が報告する第2の無線周波数情報を受信する。
【００７６】
第2の無線周波数情報は、以下の項目、すなわち、RSRP、RSRQ、およびAOAのうちの少なくとも1つを含む。
【００７７】
第1の基地局のセルによってサービス提供されるユーザ機器は、第2の無線周波数情報を、ユーザ機器のサービス提供側基地局、すなわち第1の基地局に定期的に報告することができる。第2の無線周波数情報は、ユーザ機器によってユーザ機器の位置で測定され、したがって、第2の無線周波数情報によって、ユーザ機器の位置の地理情報をマッピングすることができる。。
【００７８】
604.  ユーザ機器によって報告される第2の無線周波数情報がハンドオーバエリアの第1の無線周波数情報に一致するかどうかを検出する。
【００７９】
第1の無線周波数情報によって、ハンドオーバエリアの地理情報をマッピングすることができ、第2の無線周波数情報によって、ユーザ機器の位置の地理情報をマッピングすることができる。。したがって、ユーザ機器によって報告される第2の無線周波数情報がハンドオーバエリアの第1の無線周波数情報に一致するかどうかを検出することによって、第2の無線周波数情報を報告するユーザ機器がハンドオーバエリアに既に接近しているかどうかを判定することができる。
【００８０】
第2の無線周波数情報が第1の無線周波数情報に一致するかどうかを検出するには以下の2つの方法がある。
【００８１】
一方の方法は、ユーザ機器によって報告される第2の無線周波数情報が、ハンドオーバエリアの第1の無線周波数情報に含まれる無線周波数範囲の値に入るかどうかを検出することである。たとえば、ユーザ機器によって報告される第2の無線周波数情報がRSRP値であり、ハンドオーバエリアの第1の無線周波数情報がRSRP範囲であり、ハンドオーバエリアの第1の無線周波数情報に含まれる無線周波数範囲がRSRP範囲である場合、照合方法は、ユーザ機器によって報告される第2の無線周波数情報に含まれるRSRP値が、第1の無線周波数情報に含まれるRSRP範囲に入るかどうかを検出することである。
【００８２】
当然に、ユーザ機器によって報告される第2の無線周波数情報は、RSRP値、および/またはRSRQ値、および/またはAOA値を任意に含むことができる。したがって、ユーザ機器によって報告される第2の無線周波数情報に含まれるRSRP値、および/またはRSRQ値、および/またはAOA値が、ハンドオーバエリアの第1の無線周波数情報に含まれるRSRP範囲、および/またはRSRQ範囲、および/またはAOA範囲に入るかどうかを検出してもよい。無線周波数情報がRSRP値、RSRQ値、およびAOA値のうちいずれか2つまたは全部を含むとき、第2の無線周波数情報が第1の無線周波数情報に一致するかどうかを検出する方法はより正確になる。
【００８３】
他方の方法は、ユーザ機器によって報告される第2の無線周波数情報と、ハンドオーバエリアの第1の無線周波数情報との差が、事前に設定される無線周波数閾値より小さいかどうかを検出することである。たとえば、ユーザ機器によって報告される第2の無線周波数情報がRSRP値であり、ハンドオーバエリアの第1の無線周波数情報がRSRP値であり、事前に設定されるRSRP閾値が第1の基地局に設定される場合、照合方法は、ユーザ機器によって報告される第2の無線周波数情報に含まれるRSRP値と、第1の無線周波数情報に含まれるRSRP値との差が、事前に設定されるRSRP閾値より小さいかどうかを検出することである。
【００８４】
当然に、ユーザ機器によって報告される第2の無線周波数情報は、RSRP値、および/またはRSRQ値、および/またはAOA値を任意に含むことができる。この場合、ユーザ機器によって報告される第2の無線周波数情報に含まれるRSRP値、および/またはRSRQ値、および/またはAOA値と、第1の無線周波数情報に含まれるRSRP値、および/またはRSRQ値、および/またはAOA値との差が、事前に設定されるRSRP閾値、および/または事前に設定されるRSRQ閾値、および/または事前に設定されるAOA閾値よりも小さいかどうかを検出してもよい。無線周波数情報がRSRP値、RSRQ値、およびAOA値のうちいずれか2つまたは全部を含むとき、第2の無線周波数情報が第1の無線周波数情報に一致するかどうかを検出する方法はより正確になる。
【００８５】
605.  第2の無線周波数情報が第1の無線周波数情報に一致する場合、第2の基地局のセルの周波数にあるセルまたは第2の基地局のセルのみの信号強度および/もしくは信号品質を測定するようにユーザ機器に指示するために、測定指示メッセージを、第2の無線周波数情報を報告するユーザ機器に送信する。
【００８６】
ユーザ機器によって報告される第2の無線周波数情報がハンドオーバエリアの第1の無線周波数情報に一致することが検出された場合、第2の無線周波数情報を報告するユーザ機器がハンドオーバエリアに既に接近していると判定することができ、ここで、第1の基地局は、測定指示メッセージを、第2の無線周波数情報を報告するユーザ機器に送信することができ、ここでは、第2の無線周波数情報はハンドオーバエリアの第1の無線周波数情報に一致し、測定指示メッセージは、第2の基地局のセルの周波数情報および/または第2の基地局のセルの識別子を含み、第2の基地局のセルの周波数における信号強度および/もしくは信号品質を測定するか、または第2の基地局のセルのみの信号強度および/もしくは信号品質を測定するようにユーザ機器に指示することができる。
【００８７】
事前設定された閾値を超える信号強度および/または信号品質を有するターゲット基地局は、信号強度および/または信号品質を測定することによって得ることができる。信号強度および/または信号品質を測定するユーザ機器は、測定の結果を第1の基地局に判定レポートの形で報告することができる。測定の結果がハンドオーバ条件を満たす場合、第1の基地局は、判定レポートに従って、ハンドオーバ要求をターゲットセルに送信することができ、ターゲット基地局は、ターゲット基地局のセルのリソース状況に従って、ユーザ機器の受け入れを決定し、かつハンドオーバ応答を第1の基地局に送信し、第1の基地局はハンドオーバ命令をユーザ機器に送信し、ユーザ機器は、ターゲット基地局のセルにハンドオーバする。
【００８８】
実際の適用例では、本発明の実施形態2において、第1の基地局は大型基地局であってもよく、第2の基地局は低出力の基地局であっても大型基地局であってもよい。低出力の基地局は、限定はしないが、pico基地局、RRH(Remote Radio Head、無線信号送受信機)、RRU(Radio Remote Unit、無線遠隔ユニット)、Relay(中継器)、NB(NodeB、基地局ノード)、BS(Base Station Controller、基地局)、femto(家庭用基地局)、LTE HIFI(高速ネットワーク)、WiFi(ワイヤレス広帯域)、またはD2Dのユーザ機器などを含む。
【００８９】
以下では、例を用いて本実施形態のステップ601から606に記載の方法を説明する。図7に示すように、本実施形態の適用シナリオにおいて、大型基地局1、大型基地局2、および大型基地局3が存在し、その3つの大型基地局によってカバーされるセルは、大型セル1、大型セル2、および大型セル3である。大型セル3には、pico基地局1、pico基地局2、およびpico基地局3などのいくつかの低出力の基地局が含まれる。ユーザ機器1、ユーザ機器2、ユーザ機器3、およびユーザ機器4などのいくつかのユーザ機器が大型セル3によってサービス提供される。
【００９０】
まず、pico基地局1、pico基地局2、およびpico基地局3は、picoセル1、picoセル2、およびpicoセル3のハンドオーバエリアの第1の無線周波数情報を、大型基地局1、大型基地局2、および大型基地局3に、事前に設定される時間間隔で定期的に送信することができ、ここでは、第1の無線周波数情報がpicoセル1、picoセル2、およびpicoセル3のハンドオーバエリアのRSRP範囲の値およびAOA範囲の値を含み、picoセル1、2、および3のハンドオーバエリアの第1の無線周波数情報を受信した後、大型基地局1、2、および3はその情報を格納することができる。
【００９１】
あるいは、大型基地局1、2、および3は、第1の無線周波数情報が、picoセルから大型セルにちょうどハンドオーバしたユーザ機器によって送信されるハンドオーバエリアの第1の無線周波数情報を受信することもでき、たとえば、大型セル3内のユーザ機器3がpicoセル1から大型セル3にちょうどハンドオーバしたとき、大型セル3は、ユーザ機器3の位置における第1の無線周波数情報を測定するように迅速にユーザ機器3を作動させ、ユーザ機器3は、第1の無線周波数情報を大型基地局3に報告し、大型基地局3はその情報を受信し、格納する。
【００９２】
大型セル3によってサービス提供されるユーザ機器1、2、3、および4は、第2の無線周波数情報を、事前に設定される時間間隔でそれらのサービス提供側基地局、すなわち、大型基地局3に定期的に送信することができ、ここで、第2の無線周波数情報は、ユーザ機器1、2、3、および4によって、それらの位置で測定され、第2の無線周波数情報は、ユーザ機器1、2、3、および4のそれらの位置におけるRSRP値およびAOA値を含む。
【００９３】
大型基地局3は、受信した第2の無線周波数情報に含まれるRSRP値およびAOA値が、第1の無線周波数情報に含まれるRSRP範囲の値およびAOA範囲の値に入るかどうかを検出し、検出により、ユーザ機器2によって報告される第2の無線周波数情報に含まれるRSRP値14WおよびAOA値48度が、picoセル1のハンドオーバエリアの第1の無線周波数情報に含まれるRSRP範囲の値10W〜20WおよびAOA範囲の値45度〜60度内に入ると判断することができ、次いで、大型基地局3は、ユーザ機器2がpicoセル1に既に接近していると判定し、大型基地局3は、picoセル1の信号品質を測定するようにユーザ機器2に指示することができる。
【００９４】
ユーザ機器2によって大型基地局3に送信される判定レポートが、測定した信号品質が事前設定された閾値を超えることを示す場合、大型基地局3はハンドオーバ要求をpico基地局1に送信することができ、pico基地局1は、pico基地局1のセルのリソース状況に従って、ユーザ機器2の受け入れを決定し、pico基地局1はハンドオーバ応答を大型基地局3に送信し、大型基地局3はハンドオーバ命令をユーザ機器2に送信し、ユーザ機器2はpicoセル1にハンドオーバする。
【００９５】
本発明の本実施形態において提供されるセル発見方法によれば、第1の基地局は、ハンドオーバエリアの第1の無線周波数情報を受信し、かつ第1の基地局のセルによってサービス提供されるユーザ機器が報告する第2の無線周波数情報を受信し、次いで、ユーザ機器によって報告される第2の無線周波数情報がハンドオーバエリアの第1の無線周波数情報に一致するかどうかを検出し、第2の無線周波数情報が第1の無線周波数情報に一致する場合、測定指示メッセージを、第2の無線周波数情報を報告するユーザ機器に送信し、それによって、第2の基地局のセルの周波数にあるセルまたは第2の基地局のセルのみの信号強度および/もしくは信号品質を測定するようにユーザ機器に指示する。このように、小規模の探索および測定を意図的に行うことができ、それによって探索効率が向上し、節電効果が実現される。
【００９６】
実施形態3
本発明の本実施形態は、セル発見方法をさらに提供する。図8に示すように、この方法は以下のステップを含む。
【００９７】
801.  第2の基地局は、第1の基地局のセルによってサービス提供されるユーザ機器のアップリンクリソース情報を受信し、ここでは、アップリンクリソース情報は第1の基地局によって送信される。
【００９８】
アップリンクリソース情報は、C-RNTI(Cell Radio Network Temporary Identifier、セル無線ネットワーク一時識別子)、PCI(Physical Cell Identifier、物理セル識別子)、SRS(Sounding Reference Symbol、サウンディング参照記号)などを含む。
【００９９】
受信機が第2の基地局に設置され、受信機は、第1の基地局のセルによってサービス提供されるユーザ機器のアップリンク信号を受信することが可能であり、したがって、アップリンク受信機能がサポートされ、第1の基地局のセルによってサービス提供されるユーザ機器のアップリンクリソース情報は、X2インターフェース、S1インターフェース、プライベートインターフェース、または電波インターフェースを介して受信されてもよく、ここでは、アップリンクリソース情報は第1の基地局によって送信される。
【０１００】
802.  第2の基地局は、アップリンクリソース情報に従って、対応するユーザ機器を検出する。
【０１０１】
第2の基地局は、アップリンクリソース情報に従って検出を実施し、対応するユーザ機器を検出した場合、第2の基地局は、アップリンクリソース情報に従って、対応するユーザ機器によって送信されるアップリンク信号を解析することができる。
【０１０２】
803.  第2の基地局は、対応するユーザ機器のアップリンク信号の送信電力が、事前に設定される電力閾値を超えることを検出し、ユーザ機器が第2の基地局に接近したと結論付ける。
【０１０３】
受信機が第2の基地局に設置され、したがって、アップリンク受信機能がサポートされ、ユーザ機器によって送信されるアップリンク信号が検出可能であり、対応するユーザ機器のアップリンク信号の送信電力が、事前に設定される電力閾値を超えることを第2の基地局が検出した場合、第2の基地局は、ユーザ機器が第2の基地局に接近したと結論付けることができる。
【０１０４】
804.  第1の基地局が、信号品質を測定するようにユーザ機器に指示するために、第2の基地局は、第1の基地局に近接度情報を通知する。
【０１０５】
近接度情報はユーザ識別子を含む。近接度情報は、第2の基地局のセルの周波数情報または/および第2の基地局のセルの識別子を搬送することができ、第1の基地局は、ユーザ識別子に従って、第2の基地局に接近するユーザ機器を識別し、第2の基地局のセルの周波数における信号強度および/もしくは信号品質を測定するか、または第2の基地局のセルのみの信号強度および/もしくは信号品質を測定するようにユーザ機器に指示することができる。
【０１０６】
事前設定された閾値を超える信号強度および/または信号品質を有するターゲット基地局は、信号強度および/または信号品質を測定することによって得ることができる。信号強度および/または信号品質を測定するユーザ機器は、測定の結果を第1の基地局に判定レポートの形で報告することができる。測定の結果がハンドオーバ条件を満たす場合、第1の基地局は、判定レポートに従って、ハンドオーバ要求をターゲットセルに送信することができ、ターゲット基地局は、ターゲット基地局のセルのリソース状況に従って、ユーザ機器の受け入れを決定し、かつハンドオーバ応答を第1の基地局に送信し、第1の基地局はハンドオーバ命令をユーザ機器に送信し、ユーザ機器は、ターゲット基地局のセルにハンドオーバする。
【０１０７】
本発明の本実施形態は、セル発見方法をさらに提供する。図9に示すように、この方法は以下のステップを含む。
【０１０８】
901.  第2の基地局は、ユーザ機器のアップリンク信号の送信電力が事前に設定される電力閾値を超えることを検出し、かつユーザ機器が第2の基地局に接近したと結論付ける。
【０１０９】
受信機が第2の基地局に設置され、受信機は、第1の基地局のセルによってサービス提供されるユーザ機器のアップリンク信号を受信することが可能であり、したがって、アップリンク受信機能がサポートされ、ユーザ機器によって送信されるアップリンクメッセージが検出可能である。ユーザ機器のアップリンク信号の送信電力が、事前に設定される電力閾値を超えることを第2の基地局が検出した場合、第2の基地局は、ユーザ機器が第2の基地局に接近したと結論付けることができる。
【０１１０】
902.  第2の基地局に接近し、第2の基地局によって検出されるユーザ機器が使用するリソース情報を獲得する。
【０１１１】
第2の基地局は、ユーザ機器によって送信されるアップリンク信号を検出し、ユーザ機器のアップリンク信号の送信電力が、事前に設定される電力閾値を超えることを検出したとき、第2の基地局は、ユーザ機器によって使用されるリソース情報を識別することができ、ここでは、リソース情報は、周波数領域、および/または時間領域、および/または符号領域、および/または空間領域におけるリソース情報である。
【０１１２】
周波数領域、および/または時間領域、および/または符号領域、および/または空間領域におけるリソース情報は、物理的リソースブロック(PRB)インデックス、および/または時間領域情報、および/または符号系列インデックス、および/または空間リソースブロックインデックスを含む。
【０１１３】
903.  第1の基地局が、信号品質を測定するようにユーザ機器に指示するために、第2の基地局は、第1の基地局に近接度情報を通知する。
【０１１４】
ユーザ機器の近接度を検出したとき、第2の基地局は第1の基地局に近接度情報の形で情報を通知することができ、ここで、近接度情報はユーザ機器によって使用されるリソース情報を含み、近接度情報は、第2の基地局のセルの周波数情報および/または第2の基地局のセルの識別子を搬送することができ、第1の基地局は、ユーザ識別子および/または近接度情報に含まれるユーザ機器によって使用されるリソース情報に従って、第2の基地局に接近するユーザ機器を識別し、第2の基地局のセルの周波数における信号強度および/もしくは信号品質を測定するか、または第2の基地局のセルのみの信号強度および/もしくは信号品質を測定するようにユーザ機器に指示することができる。
【０１１５】
事前設定された閾値を超える信号強度および/または信号品質を有するターゲット基地局は、信号強度および/または信号品質を測定することによって得ることができる。信号強度および/または信号品質を測定するユーザ機器は、測定の結果を第1の基地局に判定レポートの形で報告することができる。測定の結果がハンドオーバ条件を満たす場合、第1の基地局は、判定レポートに従って、ハンドオーバ要求をターゲットセルに送信することができ、ターゲット基地局は、ターゲット基地局のセルのリソース状況に従って、ユーザ機器の受け入れを決定し、かつハンドオーバ応答を第1の基地局に送信し、第1の基地局はハンドオーバ命令をユーザ機器に送信し、ユーザ機器は、ターゲット基地局のセルにハンドオーバする。
【０１１６】
実際の適用例では、本発明の実施形態3において、第1の基地局は大型基地局であってもよく、第2の基地局は低出力の基地局であっても大型基地局であってもよい。低出力の基地局は、限定はしないが、pico基地局、RRH(Remote Radio Head、無線信号送受信機)、RRU(Radio Remote Unit、無線遠隔ユニット)、Relay(中継器)、NB(NodeB、基地局ノード)、BS(Base Station Controller、基地局)、femto(家庭用基地局)、LTE HIFI(高速ネットワーク)、WiFi(ワイヤレス広帯域)、またはD2Dのユーザ機器などを含む。
【０１１７】
以下では、例を用いて本実施形態のステップ801から804およびステップ901から903に記載の方法を説明する。図7に示すように、本実施形態の適用シナリオにおいて、大型基地局1、大型基地局2、および大型基地局3が存在し、その3つの大型基地局によってカバーされるセルは、大型セル1、大型セル2、および大型セル3である。大型セル3には、pico基地局1、pico基地局2、およびpico基地局3などのいくつかの低出力の基地局が含まれる。大型セル3によってサービス提供されるユーザ機器は、ユーザ機器1、ユーザ機器2、ユーザ機器3、およびユーザ機器4である。
【０１１８】
受信機がpico基地局1、2、および3に設置され、アップリンク受信機能がサポートされる。大型基地局3は、pico基地局1、2、および3に対し、X2インターフェース、S1インターフェース、プライベートインターフェース、または電波インターフェースを介して、大型セル3によってサービス提供されるユーザ機器1、2、3、および4のアップリンクリソース情報を送信し、ここでは、アップリンクリソース情報は、C-RNTI(Cell Radio Network Temporary Identifier、セル無線ネットワーク一時識別子)、PCI(Physical Cell Identifier、物理セル識別子)、SRS(Sounding Reference Symbol、サウンディング参照記号)などを含む。pico基地局1、2、および3は、電波インターフェースを介して、アップリンクリソース情報に従って検出を実施し、ユーザ機器1、2、3、および4を検出することができ、かつ対応するユーザ機器のアップリンクリソース情報からのユーザ機器1、2、3、および4のユーザ識別子UEID1、UEID2、UEID3、UEID4を解析することができる。対応するユーザ機器を検出した後、pico基地局1、2、および3は、ユーザ機器によって送信されるアップリンク情報を検出し、ここでは、pico基地局1は、ユーザ機器2のアップリンク信号の送信電力が30Wであり、これが事前に設定される電力閾値20Wを超えることを検出することができ、pico基地局1は、ユーザ機器2がpicoセル1に接近したと結論付けることができ、pico基地局1は、ユーザ機器2のユーザ識別子UEID2を大型基地局3に送信し、次いで、大型基地局3は、受信したユーザ識別子UEID2に従って、picoセル1の信号品質を測定するようにユーザ機器2に指示する。
【０１１９】
あるいは、pico基地局は、大型基地局によって送信されるアップリンクリソース情報を受信しなくてもよい。ユーザ機器2のアップリンク信号の送信電力が、事前に設定される電力閾値を超えることを検出したときに、pico基地局1は、ユーザ機器2によって使用されるリソース情報を検出してもよい。リソース情報は、以下の項目、すなわち、物理的リソースブロック(PRB)インデックス、時間領域情報、符号系列インデックス、および空間リソースブロックインデックスのうちの少なくとも1つを含む。
【０１２０】
pico基地局1は、ユーザ機器2のユーザ識別子UEID2または周波数領域、および/もしくは時間領域、および/もしくは符号領域、および/もしくは空間領域におけるユーザ機器2のリソース情報を大型基地局3に送信する。大型基地局3は、受信したユーザ識別子UEID2に従って、picoセル1の信号品質を測定するようにユーザ機器2に指示するか、あるいは、サービス提供側のセル、すなわち大型セル3内のユーザ機器2のリソース情報が、サービス提供側の大型基地局によって構成されるので、大型基地局3は、周波数領域、および/または時間領域、および/または符号領域、および/または空間領域におけるユーザ機器2のリソース情報に従ってユーザ機器2を識別し、picoセル1の信号品質を測定するようにユーザ機器2に指示することができる。
【０１２１】
ユーザ機器2によって大型基地局3に送信される判定レポートが、事前設定された閾値を測定した信号品質が超えることを示した場合、大型基地局3はハンドオーバ要求をpico基地局1に送信することができ、pico基地局1は、pico基地局1のセルのリソース状況に従って、ユーザ機器2の受け入れを決定し、pico基地局1はハンドオーバ応答を大型基地局3に送信し、大型基地局3はハンドオーバ命令をユーザ機器2に送信し、ユーザ機器2はpicoセル1にハンドオーバする。
【０１２２】
本発明の本実施形態においてさらに提供されるセル発見方法によれば、第2の基地局は、ユーザ機器の近接度を検出し、第1の基地局に近接度情報を通知し、それにより、第1の基地局は信号品質を測定するようにユーザ機器に指示する。このように、小規模の探索および測定を意図的に行うことができ、それによって探索効率が向上し、節電効果が実現される。
【０１２３】
実施形態4
本発明の本実施形態は、セル発見方法をさらに提供する。図10に示すように、この方法は以下のステップを含む。
【０１２４】
1001.  第2の基地局はハンドオーバエリアの第1の無線周波数情報を受信し、ここでは、第1の無線周波数情報は第2の基地局のセル内のユーザ機器によって報告される。
【０１２５】
ハンドオーバエリアの第1の無線周波数情報は、基準信号受信電力RSRP、および/または基準信号受信品質RSRQ、および/または到来角AOAを含む。
【０１２６】
第2の基地局のセルによってサービス提供されるユーザ機器はハンドオーバエリア内に位置し、第1の基地局のセルにハンドオーバする前に、ユーザ機器は第1の無線周波数情報を第2の基地局に送信することができ、ここでは、第1の無線周波数情報は、ユーザ機器によってユーザ機器の位置で測定され、第1の無線周波数情報はハンドオーバエリアの無線周波数情報であり、第1の無線周波数情報は、ハンドオーバエリア内に位置するユーザ機器により測定によって取得され、第1の無線周波数情報によって、ハンドオーバエリアの地理情報をマッピングすることができる。第2の基地局のセルによってサービス提供されるユーザ機器は、ハンドオーバエリアの第1の無線周波数情報を第2の基地局に報告する。
【０１２７】
1002.  第2の基地局はハンドオーバエリアの第1の無線周波数情報を第1の基地局に送信する。
【０１２８】
ハンドオーバエリアの第1の無線周波数情報を受信した後、第2の基地局はその情報を第1の基地局に送信し、ここでは、第1の無線周波数情報は第2の基地局のセル内のユーザ機器によって報告され、第1の基地局はハンドオーバエリアの第1の無線周波数情報を受信し、ここでは、第1の無線周波数情報は第2の基地局によって送信される。
【０１２９】
1001から1002に記載の方法では、第1の基地局はハンドオーバエリアの第1の無線周波数情報を受信し、ここでは、第1の無線周波数情報は第2の基地局によって送信され、ハンドオーバエリアの第1の無線周波数情報は、第2の基地局のセルによってサービス提供されるユーザ機器によって、第2の基地局に報告される。
【０１３０】
あるいは、第1の基地局は、第1の無線周波数情報が第2の基地局のセルから第1の基地局のセルにちょうどハンドオーバしたユーザ機器によって送信されるハンドオーバエリアの第1の無線周波数情報を受信してもよい。ユーザ機器が第2の基地局のセルから第1の基地局のセルへのハンドオーバを完了するとき、ユーザ機器のサービス提供側基地局は第2の基地局から第1の基地局に切り替わり、この場合、第1の基地局は、ユーザ機器が位置するエリアの第1の無線周波数情報を測定するように迅速にユーザ機器を作動させ、ユーザ機器は、ハンドオーバエリアの測定された第1の無線周波数情報を第1の基地局に送信する。
【０１３１】
1003.  第1の基地局は、ハンドオーバエリアの第1の無線周波数情報をシステムメッセージに含めて同報通信する。
【０１３２】
ハンドオーバエリアの第1の無線周波数情報を受信した後、第1の基地局は、第1の無線周波数情報をシステムメッセージに含めて同報通信し、それにより、第1の基地局のセルによってサービス提供されるすべてのユーザ機器は、第1の無線周波数情報を受信することができる。
【０１３３】
1004.  ユーザ機器は、ハンドオーバエリアの第1の無線周波数情報が、ユーザ機器によって獲得される第2の無線周波数情報に一致するかどうかを検出する。
【０１３４】
第2の無線周波数情報は、基準信号受信電力RSRP、および/または基準信号受信品質RSRQ、および/または到来角AOAを含む。
【０１３５】
ユーザ機器は、ユーザ機器が位置するエリアの第2の無線周波数情報を定期的に測定することができ、したがって、第2の無線周波数情報によって、ユーザ機器の位置の地理情報をマッピングすることができる。。ユーザ機器は、第2の無線周波数情報がハンドオーバエリアの第1の無線周波数情報に一致するかどうかを自動的に検出し、それによって、ユーザ機器がハンドオーバエリアに既に接近しているかどうかを判定する。
【０１３６】
第2の無線周波数情報が第1の無線周波数情報に一致するかどうかを検出するには以下の2つの方法がある。
【０１３７】
一方の方法は、ユーザ機器によって報告される第2の無線周波数情報が、ハンドオーバエリアの第1の無線周波数情報に含まれる無線周波数範囲の値に入るかどうかを検出することである。たとえば、ユーザ機器によって報告される第2の無線周波数情報がRSRP値であり、ハンドオーバエリアの第1の無線周波数情報がRSRP範囲であり、ハンドオーバエリアの第1の無線周波数情報に含まれる無線周波数範囲がRSRP範囲である場合、照合方法は、ユーザ機器によって報告される第2の無線周波数情報に含まれるRSRP値が、第1の無線周波数情報に含まれるRSRP範囲に入るかどうかを検出することである。
【０１３８】
当然に、ユーザ機器によって報告される第2の無線周波数情報は、RSRP値、および/またはRSRQ値、および/またはAOA値を任意に含むことができる。したがって、ユーザ機器によって報告される第2の無線周波数情報に含まれるRSRP値、および/またはRSRQ値、および/またはAOA値が、ハンドオーバエリアの第1の無線周波数情報に含まれるRSRP値、および/またはRSRQ値、および/またはAOA値によって形成される、RSRP値、および/またはRSRQ値、および/またはAOA値の範囲の値に入るかどうかを検出してもよい。無線周波数情報がRSRP値、RSRQ値、およびAOA値のうちいずれか2つまたは全部を含むとき、第2の無線周波数情報が第1の無線周波数情報に一致するかどうかを検出する方法はより正確になる。
【０１３９】
他方の方法は、ユーザ機器によって報告される第2の無線周波数情報と、ハンドオーバエリアの第1の無線周波数情報との差が、事前に設定される無線周波数閾値より小さいかどうかを検出することである。たとえば、ユーザ機器によって報告される第2の無線周波数情報がRSRP値であり、ハンドオーバエリアの第1の無線周波数情報がRSRP値であり、事前に設定されるRSRP閾値が第1の基地局に設定される場合、照合方法は、ユーザ機器によって報告される第2の無線周波数情報に含まれるRSRP値と、第1の無線周波数情報に含まれるRSRP値との差が、事前に設定されるRSRP閾値より小さいかどうかを検出することである。
【０１４０】
当然に、ユーザ機器によって報告される第2の無線周波数情報は、RSRP値、および/またはRSRQ値、および/またはAOA値を任意に含むことができる。この場合、ユーザ機器によって報告される第2の無線周波数情報に含まれるRSRP値、および/またはRSRQ値、および/またはAOA値と、第1の無線周波数情報に含まれるRSRP値、および/またはRSRQ値、および/またはAOA値との差が、事前に設定されるRSRP閾値、および/または事前に設定されるRSRQ閾値、および/または事前に設定されるAOA閾値よりも小さいかどうかを検出してもよい。無線周波数情報がRSRP値、RSRQ値、およびAOA値のうちいずれか2つまたは全部を含むとき、第2の無線周波数情報が第1の無線周波数情報に一致するかどうかを検出する方法はより正確になる。
【０１４１】
1005.  第2の無線周波数情報が第1の無線周波数情報に一致する場合、第2の基地局のセルの周波数にあるセルまたは第2の基地局のセルのみの信号強度および/もしくは信号品質を測定する。
【０１４２】
ユーザ機器が、第2の無線周波数情報がハンドオーバエリアの第1の無線周波数情報に一致することを検出した場合に、ユーザ機器がハンドオーバエリアに既に接近していると判定することができる。
【０１４３】
このとき、ユーザ機器がアイドル状態の場合、ユーザ機器は、第2の基地局のセルの周波数にあるセルまたは第2の基地局のセルのみの信号強度および/もしくは信号品質の測定を自動的に開始する。
【０１４４】
ユーザ機器が接続状態の場合、ユーザ機器はユーザ通知メッセージを第1の基地局に送信し、第1の基地局は、受信したユーザ通知メッセージに従って、信号品質を測定するようにユーザ機器に指示する。
【０１４５】
実際の適用例では、本発明の実施形態4では、第1の基地局は大型基地局であってもよく、第2の基地局は低出力の基地局であっても大型基地局であってもよい。低出力の基地局は、限定はしないが、pico基地局、RRH(Remote Radio Head、無線信号送受信機)、RRU(Radio Remote Unit、無線遠隔ユニット)、Relay(中継器)、NB(NodeB、基地局ノード)、BS(Base Station Controller、基地局)、femto(家庭用基地局)、LTE HIFI(高速ネットワーク)、WiFi(ワイヤレス広帯域)、またはD2Dのユーザ機器などを含む。
【０１４６】
以下では、例を用いて本実施形態のステップ1001から1005に記載の方法を説明する。
【０１４７】
図7に示すように、本実施形態の適用シナリオにおいて、大型基地局1、大型基地局2、および大型基地局3が存在し、その3つの大型基地局によってカバーされるセルは、大型セル1、大型セル2、および大型セル3である。大型セル3には、pico基地局1、pico基地局2、およびpico基地局3などのいくつかの低出力の基地局が含まれる。ユーザ機器1、ユーザ機器2、ユーザ機器3、およびユーザ機器4などのいくつかのユーザ機器が大型セル3によってサービス提供される。
【０１４８】
まず、pico基地局1、pico基地局2、およびpico基地局3は、picoセル1、picoセル2、およびpicoセル3のハンドオーバエリアの第1の無線周波数情報を、大型基地局1、大型基地局2、および大型基地局3に、事前に設定される時間間隔で定期的に送信することができ、ここでは、第1の無線周波数情報はpicoセル1、picoセル2、およびpicoセル3のハンドオーバエリアのRSRP範囲の値およびAOA範囲の値を含み、picoセル1、2、および3のハンドオーバエリアの第1の無線周波数情報を受信した後、大型基地局1、2、および3はその情報を格納することができる。
【０１４９】
あるいは、大型基地局1、2、および3は、第1の無線周波数情報が、picoセルから大型セルにちょうどハンドオーバしたユーザ機器によって送信されるハンドオーバエリアの第1の無線周波数情報を受信することもでき、たとえば、大型セル3内のユーザ機器3がpicoセル1から大型セル3にちょうどハンドオーバしたとき、大型セル3は、ユーザ機器3の位置における第1の無線周波数情報を測定するように迅速にユーザ機器3を作動させ、ユーザ機器3は、第1の無線周波数情報を大型基地局3に報告し、大型基地局3はその情報を受信し、格納する。
【０１５０】
大型基地局1、2、および3は、第1の無線周波数情報をシステムメッセージに含めて同報通信し、それにより、大型基地局1、2、および3によってサービス提供されるすべてのユーザ機器は第1の無線周波数情報を受信する。たとえば、大型基地局3によってサービス提供されるユーザ機器1、2、3、および4はすべて第1の無線周波数情報を受信し、ユーザ機器1、2、3、および4は、事前に設定される時間に、それらの位置における第2の無線周波数情報を定期的に測定することができ、ここでは、第2の無線周波数情報は、ユーザ機器1、2、3、および4によって、それらの位置で測定され、第2の無線周波数情報は、ユーザ機器1、2、3、および4のそれらの位置におけるRSRP値およびAOA値を含む。
【０１５１】
ユーザ機器1、2、3、および4は、自ら測定した第2の無線周波数情報に含まれるRSRP値およびAOA値が、第1の無線周波数情報に含まれるRSRP範囲の値およびAOA範囲の値に入るかどうかを検出する。ユーザ機器2は、検出により、ユーザ機器2によって測定される第2の無線周波数情報に含まれるRSRP値14WおよびAOA値48度が、picoセル1のハンドオーバエリアの第1の無線周波数情報に含まれるRSRP範囲の値10W〜20WおよびAOA範囲の値45度〜60度に入ると判断し、次いで、ユーザ機器2は、自らがpicoセル1に既に接近していると判定する。
【０１５２】
ユーザ機器2がアイドル状態の場合、ユーザ機器2は、picoセル1の信号品質の測定を自動的に開始する。
【０１５３】
ユーザ機器2が接続状態の場合、ユーザ機器2はユーザ通知メッセージを大型基地局3に送信し、大型基地局3は、受信したユーザ通知メッセージに従って、picoセル1の信号品質を測定するようにユーザ機器2に指示する。
【０１５４】
本発明の本実施形態においてさらに提供されるセル発見方法によれば、第1の基地局は、第1の基地局と第2の基地局の間に位置するハンドオーバエリアの第1の無線周波数情報を受信し、かつハンドオーバエリアの第1の無線周波数情報をシステムメッセージに含めて同報通信し、それにより、ユーザ機器は、ユーザ機器によって獲得される第2の無線周波数情報がハンドオーバエリアの第1の無線周波数情報に一致するときに信号品質を測定する。このように、小規模の探索および測定を意図的に行うことができ、それによって探索効率が向上し、節電効果が実現される。
【０１５５】
実施形態5
本発明の本実施形態は第1の基地局を提供する。図11に示すように、第1の基地局は、第1の情報受信ユニット1101、第2の情報受信ユニット1102、検出ユニット1103、および第1の情報送信ユニット1104を含む。
【０１５６】
第1の情報受信ユニット1101は、ハンドオーバエリアの第1の無線周波数情報を受信するように構成されている。
【０１５７】
具体的には、第1の情報受信ユニット1101は、ハンドオーバエリアの第1の無線周波数情報を受信するように構成されており、ここでは、第1の無線周波数情報は第2の基地局によって送信され、ハンドオーバエリアの第1の無線周波数情報は、第2の基地局のセルによってサービス提供されるユーザ機器によって、第2の基地局に報告される。
【０１５８】
あるいは、第1の情報受信ユニット1101は、第1の無線周波数情報が第2の基地局のセルから第1の基地局のセルにちょうどハンドオーバしたユーザ機器によって送信されるハンドオーバエリアの第1の無線周波数情報を受信するように構成されていてもよい。
【０１５９】
第1の無線周波数情報はハンドオーバエリアの無線周波数情報である。第1の無線周波数情報は、ハンドオーバエリア内に位置するユーザ機器によって、測定により取得される。第1の無線周波数情報によって、ハンドオーバエリアの地理情報をマッピングすることができる。
【０１６０】
第2の情報受信ユニット1102は、第1の基地局のセルによってサービス提供されるユーザ機器が報告する第2の無線周波数情報を受信するように構成されている。
【０１６１】
第1の基地局のセルによってサービス提供されるユーザ機器は、第2の無線周波数情報を、ユーザ機器にサービス提供する第1の基地局に、事前に設定される時間間隔で定期的に報告することができる。第2の無線周波数情報は、ユーザ機器によってユーザ機器の位置で測定され、したがって、第2の無線周波数情報によって、ユーザ機器の位置の地理情報をマッピングすることができる。。
【０１６２】
検出ユニット1103は、ユーザ機器によって報告される第2の無線周波数情報がハンドオーバエリアの第1の無線周波数情報に一致するかどうかを検出するように構成されている。
【０１６３】
第1の無線周波数情報によって、ハンドオーバエリアの地理情報をマッピングすることができ、第2の無線周波数情報によって、ユーザ機器の位置の地理情報をマッピングすることができる。。したがって、ユーザ機器によって報告される第2の無線周波数情報がハンドオーバエリアの第1の無線周波数情報に一致するかどうかを検出することによって、第2の無線周波数情報を報告するユーザ機器がハンドオーバエリアに既に接近しているかどうかを判定することができる。
【０１６４】
第2の無線周波数情報が第1の無線周波数情報に一致するかどうかを検出する方法は、具体的には、ユーザ機器によって報告される第2の無線周波数情報が、ハンドオーバエリアの第1の無線周波数情報に含まれる無線周波数範囲の値に入るかどうかを検出すること、またはユーザ機器によって報告される第2の無線周波数情報と、ハンドオーバエリアの第1の無線周波数情報との差が、事前に設定される無線周波数閾値より小さいかどうかを検出することでありうる。
【０１６５】
第1の情報送信ユニット1104は、第2の無線周波数情報が第1の無線周波数情報に一致することを検出ユニットが検出したとき、第2の無線周波数情報を報告するユーザ機器に測定指示メッセージを送信するように構成されており、それによって、第2の基地局のセルの周波数にあるセルまたは第2の基地局のセルのみの信号強度および/もしくは信号品質を測定するようにユーザ機器に指示する。
【０１６６】
ユーザ機器によって報告される第2の無線周波数情報がハンドオーバエリアの第1の無線周波数情報に一致することが検出された場合、第2の無線周波数情報を報告するユーザ機器がハンドオーバエリアに既に接近していると判定することができ、この場合、第1の基地局は、測定指示メッセージを、第2の無線周波数情報を報告するユーザ機器に送信することができ、ここで、第2の無線周波数情報はハンドオーバエリアの第1の無線周波数情報に一致し、測定指示メッセージは、第2の基地局のセルの周波数情報および/または第2の基地局のセルの識別子を含み、第2の基地局のセルの周波数における信号強度および/もしくは信号品質を測定するか、または第2の基地局のセルのみの信号強度および/もしくは信号品質を測定するようにユーザ機器に指示することができる。
【０１６７】
ハンドオーバエリアの第1の無線周波数情報およびユーザ機器によって報告される第2の無線周波数情報は、基準信号受信電力RSRP、および/または基準信号受信品質RSRQ、および/または到来角AOAを含む。
【０１６８】
本実施形態において提供される第1の基地局は、図1に示した実施形態における対応する方法を実施するために使用されてもよい。
【０１６９】
本発明の本実施形態は、第2の基地局をさらに提供する。図12に示すように、第2の基地局は、第3の情報受信ユニット1201および第2の情報送信ユニット1202を含む。
【０１７０】
第3の情報受信ユニット1201は、ハンドオーバエリアの第1の無線周波数情報を受信するように構成されており、ここでは、第1の無線周波数情報は第2の基地局のセル内のユーザ機器によって報告される。
【０１７１】
ハンドオーバエリアは、第2の基地局のセルから第1の基地局のセルにハンドオーバするすべてのユーザ機器の位置をカバーするエリアである。第2の基地局のセルによってサービス提供されるユーザ機器はハンドオーバエリア内に位置し、第1の基地局のセルにハンドオーバする前に、ユーザ機器は第1の無線周波数情報を第2の基地局に送信することができ、ここで、第1の無線周波数情報は、ユーザ機器によってユーザ機器の位置で測定され、第1の無線周波数情報はハンドオーバエリアの無線周波数情報であり、第1の無線周波数情報は、ハンドオーバエリア内に位置するユーザ機器により測定によって取得され、第1の無線周波数情報によって、ハンドオーバエリアの地理情報をマッピングすることができる。
【０１７２】
第2の情報送信ユニット1202は、ハンドオーバエリアの第1の無線周波数情報を第1の基地局に送信するように構成されており、それにより、第1の基地局は、ハンドオーバエリアの第1の無線周波数情報に従って、第2の基地局のセルの周波数にあるセルまたは第2の基地局のセルのみの信号強度および/もしくは信号品質を測定するようにユーザ機器に指示する。
【０１７３】
第2の基地局は、X2、IUR、S1、またはIUインターフェースを介して、ハンドオーバエリアの第1の無線周波数情報を第1の基地局に送信することができる。ハンドオーバエリアの第1の無線周波数情報は、基準信号受信電力RSRP、および/または基準信号受信品質RSRQ、および/または到来角AOAを含む。
【０１７４】
第2の基地局は、ハンドオーバエリアの第1の無線周波数情報を、第1の基地局に、事前に設定される時間間隔で定期的に送信することができ、それにより、第1の基地局は、ハンドオーバエリアの第1の無線周波数情報に従って、信号品質を測定するようにユーザ機器に指示する。第1の基地局の動作は、第1の基地局に関する上記の部分で既に詳細に説明されている。それ以上の詳細は本明細書に記載されていない。
【０１７５】
事前設定された閾値を超える信号強度および/または信号品質を有するターゲット基地局は、信号強度および/または信号品質を測定することによって得ることができる。信号強度および/または信号品質を測定するユーザ機器は、測定の結果を第1の基地局に判定レポートの形で報告することができる。測定の結果がハンドオーバ条件を満たす場合、第1の基地局は、判定レポートに従って、ハンドオーバ要求をターゲットセルに送信することができ、ターゲット基地局は、ターゲット基地局のセルのリソース状況に従って、ユーザ機器の受け入れを決定し、かつハンドオーバ応答を第1の基地局に送信し、第1の基地局はハンドオーバ命令をユーザ機器に送信し、ユーザ機器は、ターゲット基地局のセルにハンドオーバする。
【０１７６】
本発明の本実施形態において提供される第2の基地局は、図2に示した実施形態における対応する方法を実施するために使用されてもよい。
【０１７７】
本発明の本実施形態において提供される第1の基地局および第2の基地局によれば、第1の基地局は、ハンドオーバエリアの第1の無線周波数情報を受信し、かつ第1の基地局のセルによってサービス提供されるユーザ機器が報告する第2の無線周波数情報を受信し、次いで、ユーザ機器によって報告される第2の無線周波数情報がハンドオーバエリアの第1の無線周波数情報に一致するかどうかを検出し、第2の無線周波数情報が第1の無線周波数情報に一致する場合、測定指示メッセージを、第2の無線周波数情報を報告するユーザ機器に送信し、それによって、第2の基地局のセルの周波数にあるセルまたは第2の基地局のセルのみの信号強度および/もしくは信号品質を測定するようにユーザ機器に指示する。このように、小規模の探索および測定を意図的に行うことができ、それによって探索効率が向上し、節電効果が実現される。
【０１７８】
本発明の本実施形態は、第2の基地局をさらに提供する。図13に示すように、第2の基地局は検出ユニット1301および情報通知ユニット1302を含む。
【０１７９】
検出ユニット1301は、ユーザ機器の近接度を検出するように構成されている。
【０１８０】
検出ユニットは、ユーザ機器のアップリンク信号の送信電力が事前に設定される電力閾値を超えることを検出することができ、次いで、ユーザ機器が第2の基地局に接近したと結論付けることができる。
【０１８１】
受信機が第2の基地局の装置に設置され、したがって、アップリンク受信機能がサポートされ、ユーザ機器が送信するアップリンクメッセージが検出され、それによって、ユーザ機器が第2の基地局に接近したことを検出する。
【０１８２】
情報通知ユニット1302は、第1の基地局に近接度情報を通知するように構成されており、それにより、第1の基地局は、第2の基地局のセルの周波数にあるセルまたは第2の基地局のセルのみの信号強度および/もしくは信号品質を測定するようにユーザ機器に指示する。
【０１８３】
近接度情報は、ユーザ識別子または周波数領域、および/もしくは時間領域、および/もしくは符号領域、および/もしくは空間領域におけるユーザ機器のリソース情報も含む。
【０１８４】
ユーザ機器の近接度を検出したとき、第2の基地局は第1の基地局に近接度情報の形で情報を通知することができ、ここでは、近接度情報は、第2の基地局に接近するユーザ機器に関する何らかの情報ならびに第2の基地局のセルの周波数情報および/または第2の基地局のセルの識別子を含み、第1の基地局は、近接度情報に従って、第2の基地局の周波数における信号強度および/もしくは信号品質を測定するか、または第2の基地局のみの信号強度および/もしくは信号品質を測定するように、第2の基地局に接近するユーザ機器に指示する。
【０１８５】
さらに、図14に示すように、第2の基地局は、第2の基地局がユーザ機器の近接度を検出したとき、第1の基地局のセルによってサービス提供されるユーザ機器のアップリンクリソース情報であって、第1の基地局によって送信されるアップリンクリソース情報を受信し、かつアップリンクリソース情報に従って対応するユーザ機器を検出するように構成されている第4の情報受信ユニット1303をさらに含む。
【０１８６】
さらに、図15に示すように、情報通知ユニットは、
ユーザ機器によって使用されるリソース情報を獲得するように構成されている情報獲得サブユニット1312であって、ユーザ機器のアップリンク信号の送信電力が、事前に設定される電力閾値を超えることを第2の基地局が検出し、リソース情報が、物理的リソースブロック(PRB)インデックス、時間領域情報、符号系列インデックス、および空間リソースブロックインデックスのうちの少なくとも1つを含む、情報獲得サブユニット1312と、
第1の基地局が、リソース情報に従ってユーザ機器を識別し、第2の基地局のセルの周波数にあるセルまたは第2の基地局のセルのみの信号強度および/もしくは信号品質を測定するようにユーザ機器に指示するために、第1の基地局にリソース情報を通知するように構成されている情報通知サブユニット1322と
をさらに含む。
【０１８７】
事前設定された閾値を超える信号強度および/または信号品質を有するターゲット基地局は、信号強度および/または信号品質を測定することによって得ることができる。信号強度および/または信号品質を測定するユーザ機器は、測定の結果を第1の基地局に判定レポートの形で報告することができる。測定の結果がハンドオーバ条件を満たす場合、第1の基地局は、判定レポートに従って、ハンドオーバ要求をターゲットセルに送信することができ、ターゲット基地局は、ターゲット基地局のセルのリソース状況に従って、ユーザ機器の受け入れを決定し、かつハンドオーバ応答を第1の基地局に送信し、第1の基地局はハンドオーバ命令をユーザ機器に送信し、ユーザ機器は、ターゲット基地局のセルにハンドオーバする。
【０１８８】
本発明の本実施形態において提供される第2の基地局は、図3に示した実施形態における対応する方法を実施するために使用されてもよい。
【０１８９】
本発明の本実施形態において提供される第2の基地局によれば、ユーザ機器の近接度が検出され、第1の基地局に近接度情報が通知され、それにより、第1の基地局は、第2の基地局のセルの周波数にあるセルまたは第2の基地局のセルのみの信号強度および/もしくは信号品質を測定するようにユーザ機器に指示する。このように、小規模の探索および測定を意図的に行うことができ、それによって探索効率が向上し、節電効果が実現される。
【０１９０】
本発明の本実施形態は、第1の基地局をさらに提供する。図16に示すように、第1の基地局は、第5の情報受信ユニット1601および情報同報通信ユニット1602を含む。
【０１９１】
第5の情報受信ユニット1601は、ハンドオーバエリアの第1の無線周波数情報を受信するように構成されている。
【０１９２】
具体的には、第1の情報受信ユニット1601は、ハンドオーバエリアの第1の無線周波数情報を受信するように構成されており、ここでは、第1の無線周波数情報は第2の基地局によって送信され、ハンドオーバエリアの第1の無線周波数情報は、第2の基地局のセルによってサービス提供されるユーザ機器によって、第2の基地局に報告される。
【０１９３】
あるいは、第1の情報受信ユニット1601は、第1の無線周波数情報が第2の基地局のセルから第1の基地局のセルにちょうどハンドオーバしたユーザ機器によって送信されるハンドオーバエリアの第1の無線周波数情報を受信するように構成されていてもよい。
【０１９４】
ハンドオーバエリアは、第2の基地局のセルから第1の基地局のセルにハンドオーバするすべてのユーザ機器の位置をカバーするエリアである。
【０１９５】
第1の無線周波数情報はハンドオーバエリアの無線周波数情報である。第1の無線周波数情報は、ハンドオーバエリア内に位置するユーザ機器によって、測定により取得される。第1の無線周波数情報によって、ハンドオーバエリアの地理情報をマッピングすることができる。
【０１９６】
情報同報通信ユニット1602は、ハンドオーバエリアの第1の無線周波数情報をシステムメッセージに含めて同報通信するように構成されており、それにより、ユーザ機器によって獲得される第2の無線周波数情報がハンドオーバエリアの第1の無線周波数情報に一致するとき、ユーザ機器は、第2の基地局のセルの周波数にあるセルまたは第2の基地局のセルのみの信号強度および/もしくは信号品質を測定する。
【０１９７】
ハンドオーバエリアの第1の無線周波数情報を受信した後、第1の基地局は、第1の無線周波数情報をシステムメッセージに含めて同報通信し、それにより、第1の基地局のセルによってサービス提供されるすべてのユーザ機器は、第1の無線周波数情報を受信することができる。ユーザ機器は、ユーザ機器が位置するエリアの第2の無線周波数情報を定期的に測定することができ、したがって、第2の無線周波数情報によって、ユーザ機器の位置の地理情報をマッピングすることができる。。ユーザ機器が、第2の無線周波数情報がハンドオーバエリアの第1の無線周波数情報に一致することを検出した場合、ユーザ機器がハンドオーバエリアに既に接近していると判定することができ、この場合、ユーザ機器は、第2の基地局の周波数での信号強度および/もしくは信号品質を測定するか、または第2の基地局のみの信号強度および/もしくは信号品質を測定するように作動されてもよい。
【０１９８】
さらに、図17に示すように、第1の基地局は、ユーザ機器によって獲得される第2の無線周波数情報がハンドオーバエリアの第1の無線周波数情報に一致するとき、ユーザ機器が返すユーザ通知メッセージを受信し、かつユーザ通知メッセージに従って、第2の基地局のセルの周波数にあるセルまたは第2の基地局のセルのみの信号強度および/もしくは信号品質を測定するようにユーザ機器に指示するように構成されているメッセージ受信兼指示ユニット1603をさらに含む。
【０１９９】
本発明の本実施形態において提供される第2の基地局は、図4に示した実施形態における対応する方法を実施するために使用されてもよい。
【０２００】
本発明の本実施形態は、ユーザ機器をさらに提供する。図18に示すように、ユーザ機器は、ユーザ受信ユニット1801、ユーザ検出ユニット1802、およびユーザ測定ユニット1803を含む。
【０２０１】
ユーザ受信ユニット1801は、ハンドオーバエリアの第1の無線周波数情報を受信するように構成されており、ここで、第1の無線周波数情報は第1の基地局によって同報通信されるものである。
【０２０２】
ハンドオーバエリアは、第2の基地局のセルから第1の基地局のセルにハンドオーバするすべてのユーザ機器の位置をカバーするエリアである。
【０２０３】
第1の無線周波数情報はハンドオーバエリアの無線周波数情報である。第1の無線周波数情報は、ハンドオーバエリア内に位置するユーザ機器によって、測定により取得される。第1の無線周波数情報にハンドオーバエリアの地理情報をマッピングできることは、第1の無線周波数情報を得る方法から分かる。
【０２０４】
ハンドオーバエリアの第1の無線周波数情報を受信した後、第1の基地局は、第1の無線周波数情報をシステムメッセージに含めて同報通信し、それにより、第1の基地局のセルによってサービス提供されるすべてのユーザ機器は、第1の無線周波数情報を受信することができる。
【０２０５】
ユーザ検出ユニット1802は、ハンドオーバエリアの第1の無線周波数情報が、ユーザ機器によって獲得される第2の無線周波数情報に一致するかどうかを検出するように構成されている。
【０２０６】
ユーザ機器は、ユーザ機器が位置するエリアの第2の無線周波数情報を定期的に測定することができ、したがって、第2の無線周波数情報によって、ユーザ機器の位置の地理情報をマッピングすることができる。。ユーザ機器は、第2の無線周波数情報がハンドオーバエリアの第1の無線周波数情報に一致するかどうかを自動的に検出し、それによって、ユーザ機器がハンドオーバエリアに既に接近しているかどうかを判定する。
【０２０７】
ユーザ測定ユニット1803は、第2の無線周波数情報が第1の無線周波数情報に一致することをユーザ検出ユニットが検出したときに、第2の基地局のセルの周波数にあるセルまたは第2の基地局のセルのみの信号強度および/もしくは信号品質を測定するように構成されている。
【０２０８】
ユーザ機器がアイドル状態のとき、第2の無線周波数情報がハンドオーバエリアの第1の無線周波数情報に一致することをユーザ機器が検出すると、ユーザ機器がハンドオーバエリアに既に接近していると判定することができ、この場合、ユーザ機器は、第2の基地局の周波数での信号強度および/もしくは信号品質を測定するか、または第2の基地局のみの信号強度および/もしくは信号品質を測定するように作動されてもよい。
【０２０９】
ユーザ機器が接続された状態のとき、図19に示すように、ユーザ測定ユニット1803はユーザ送信サブユニット1813およびユーザ測定サブユニット1823をさらに含む。
【０２１０】
ユーザ送信サブユニット1813は、それらが一致することをユーザ検出ユニットが検出したとき、ユーザ通知メッセージを第1の基地局に送信するように構成されており、それにより、第1の基地局は、ユーザ通知メッセージに従って、信号品質を測定するようにユーザ機器に指示する。
【０２１１】
ユーザ測定サブユニット1823は、第1の基地局からの命令に従って、信号品質を測定するように構成されている。
【０２１２】
事前設定された閾値を超える信号強度および/または信号品質を有するターゲット基地局は、信号強度および/または信号品質を測定することによって得ることができる。信号強度および/または信号品質を測定するユーザ機器は、測定の結果を第1の基地局に判定レポートの形で報告することができる。測定の結果がハンドオーバ条件を満たす場合、第1の基地局は、判定レポートに従って、ハンドオーバ要求をターゲットセルに送信することができ、ターゲット基地局は、ターゲット基地局のセルのリソース状況に従って、ユーザ機器の受け入れを決定し、かつハンドオーバ応答を第1の基地局に送信し、第1の基地局はハンドオーバ命令をユーザ機器に送信し、ユーザ機器は、ターゲット基地局のセルにハンドオーバする。
【０２１３】
本発明の本実施形態において提供されるユーザ機器は、図5に示した実施形態における対応する方法を実施するために使用されてもよい。
【０２１４】
本発明の本実施形態において提供される第1の基地局およびユーザ機器によれば、第1の基地局は、第1の基地局と第2の基地局の間に位置するハンドオーバエリアの第1の無線周波数情報を受信し、ハンドオーバエリアの第1の無線周波数情報をシステムメッセージに含めて同報通信し、それにより、ユーザ機器によって獲得される第2の無線周波数が、ハンドオーバエリアの第1の無線周波数情報に一致するとき、ユーザ機器は、第2の基地局のセルの周波数にあるセルまたは第2の基地局のセルのみの信号強度および/もしくは信号品質を測定する。このように、小規模の探索および測定を意図的に行うことができ、それによって探索効率が向上し、節電効果が実現される。
【０２１５】
本発明の本実施形態は、セル発見システムをさらに提供する。図20に示すように、セル発見システムは、図11に示した実施形態に対応する第1の基地局2001および図12に示した実施形態に対応する第2の基地局2002を含む。
【０２１６】
第2の基地局2002は、第1の無線周波数情報が第2の基地局のセル内のユーザ機器によって報告されるハンドオーバエリアの第1の無線周波数情報を受信し、かつハンドオーバエリアの第1の無線周波数情報を第1の基地局2001に送信するように構成されている。第1の無線周波数情報が第2の基地局のセルから第1の基地局のセルにちょうどハンドオーバしたユーザ機器によって送信されるハンドオーバエリアの第1の無線周波数情報を第1の基地局2001が直接受信する、といった他の代替方法でもよい。
【０２１７】
第2の基地局2002によって送信される第1の無線周波数情報の受信に加えて、第1の基地局2001は、第1の基地局のセルによってサービス提供されるユーザ機器が報告する第2の無線周波数情報をさらに受信し、かつユーザ機器によって報告される第2の無線周波数情報がハンドオーバエリアの第1の無線周波数情報に一致することを検出したとき、測定指示メッセージを、第2の無線周波数情報を報告するユーザ機器に送信し、それによって、第2の基地局のセルの周波数にあるセルまたは第2の基地局のセルのみの信号強度および/または信号品質を測定するようにユーザ機器に指示する。
【０２１８】
ユーザ機器によって報告される第2の無線周波数情報がハンドオーバエリアの第1の無線周波数情報に一致するかどうかが検出されるとき、2つの実施シナリオが存在しうる。一方のシナリオは、ユーザ機器によって報告される第2の無線周波数情報が、ハンドオーバエリアの第1の無線周波数情報に含まれる無線周波数範囲の値に入るかどうかを検出することであり、他方のシナリオは、ユーザ機器によって報告される第2の無線周波数情報と、ハンドオーバエリアの第1の無線周波数情報との差が、事前に設定される無線周波数閾値より小さいかどうかを検出することである。
【０２１９】
ハンドオーバエリアの第1の無線周波数情報は、基準信号受信電力RSRP、および/または基準信号受信品質RSRQ、および/または到来角AOAを含む。
【０２２０】
別の態様においては、本発明の本実施形態はセル発見システムをさらに提供する。具体的には、図21に示すように、セル発見システムは、第1の基地局2101、第2の基地局2102、およびユーザ機器2103を含む。第1の基地局2101は、図17に示した実施形態に対応する第1の基地局であってもよく、ユーザ機器2103は、図19に示した実施形態に対応するユーザ機器であってもよい。
【０２２１】
第2の基地局2102は、第1の無線周波数情報が第2の基地局のセルによってサービス提供されるユーザ機器によって報告される、第1の基地局2101と第2の基地局2102の間に位置するハンドオーバエリアの第1の無線周波数情報を受信し、かつ無線周波数情報を第1の基地局2101に送信する。第1の無線周波数情報が第2の基地局のセルから第1の基地局のセルにちょうどハンドオーバしたユーザ機器によって送信されるハンドオーバエリアの第1の無線周波数情報を第1の基地局2101が直接受信する、といった他の代替方法でもよい。
【０２２２】
ハンドオーバエリアの第1の無線周波数情報を受信した後、第1の基地局2101は、第1の無線周波数情報をシステムメッセージに含めて同報通信し、それにより、第1の基地局2101によってサービス提供されるすべてのユーザ機器はそのメッセージを受信することができる。ハンドオーバエリアの第1の無線周波数情報を受信した後、ユーザ機器2103は、ハンドオーバエリアの受信した第1の無線周波数情報が、ユーザ機器によって獲得される第2の無線周波数情報に一致するかどうかを検出し、第2の無線周波数情報が第1の無線周波数情報に一致する場合、ユーザ機器2103が接続状態のとき、ユーザ機器2103はユーザ通知メッセージを第1の基地局2101に送信し、それにより、第1の基地局2101は、ユーザ通知メッセージに従って、第2の基地局のセルの周波数にあるセルまたは第2の基地局のセルのみの信号強度および/もしくは信号品質を測定するようにユーザ機器2103に指示する。ユーザ機器2103がアイドル状態のとき、ユーザ機器2103は、第2の基地局のセルの周波数にあるセルまたは第2の基地局のセルのみの信号強度および/もしくは信号品質を直接測定してもよい。本発明の本実施形態はこれに限定はしない。
【０２２３】
ユーザ機器2103が一致状態を検出するとき、2つの実施シナリオが存在しうる。一方のシナリオは、第2の無線周波数情報が、第1の無線周波数情報に含まれる無線周波数範囲の値に入るかどうかを検出することであり、他方のシナリオは、第2の無線周波数情報と、第1の無線周波数情報との差が、事前に設定される無線周波数閾値より小さいかどうかを検出することである。
【０２２４】
本発明の本実施形態において提供されるシステムによれば、第1の基地局2001は、上記の第1の情報受信ユニット、第2の情報受信ユニット、検出ユニット、および第1の情報送信ユニットを含み、第2の基地局2002は、上記の第3の情報受信ユニットおよび第2の情報送信ユニットを含む。また、第1の基地局2101は、上記の第5の情報受信ユニットおよび情報同報通信ユニットを含み、ユーザ機器2103は、上記のユーザ受信ユニット、ユーザ検出ユニット、およびユーザ測定ユニットを含み、ここで、ユーザ測定ユニットは、ユーザ送信サブユニットおよびユーザ測定サブユニットをさらに含む。
【０２２５】
実際の適用例では、本発明の実施形態5において、第1の基地局は大型基地局であってもよく、第2の基地局は低出力の基地局であっても大型基地局であってもよい。低出力の基地局は、限定はしないが、pico基地局、RRH(Remote Radio Head、無線信号送受信機)、RRU(Radio Remote Unit、無線遠隔ユニット)、Relay(中継器)、NB(NodeB、基地局ノード)、BS(Base Station Controller、基地局)、femto(家庭用基地局)、LTE HIFI(高速ネットワーク)、WiFi(ワイヤレス広帯域)、またはD2Dのユーザ機器などを含む。
【０２２６】
本発明の本実施形態においてさらに提供されるセル発見システムによれば、第1の基地局は、ハンドオーバエリアの第1の無線周波数情報を受信し、かつ第1の基地局のセルによってサービス提供されるユーザ機器が報告する第2の無線周波数情報を受信し、次いで、ユーザ機器によって報告される第2の無線周波数情報がハンドオーバエリアの第1の無線周波数情報に一致するかどうかを検出し、それらが一致する場合、測定指示メッセージを、第2の無線周波数情報を報告するユーザ機器に送信し、それによって、第2の基地局のセルの周波数にあるセルまたは第2の基地局のセルのみの信号強度および/もしくは信号品質を測定するようにユーザ機器に指示する。このように、小規模の探索および測定を意図的に実施でき、それによって探索効率が向上し、節電効果が実現される。また、本発明の本実施形態において提供される別のセル発見システムによれば、第1の基地局は、第1の基地局と第2の基地局の間に位置するハンドオーバエリアの第1の無線周波数情報を受信し、ハンドオーバエリアの第1の無線周波数情報をシステムメッセージに含めて同報通信し、それにより、ユーザ機器によって獲得される第2の無線周波数が、ハンドオーバエリアの第1の無線周波数情報に一致するとき、ユーザ機器は、第2の基地局のセルの周波数にあるセルまたは第2の基地局のセルのみの信号強度および/もしくは信号品質を測定する。このように、小規模の探索および測定を意図的に行うことができ、それによって探索効率が向上し、節電効果が実現される。
【０２２７】
上記の実施形態の方法のステップの全部または一部は、関連するハードウェアに指示するプログラムによって実施されてもよいことが当業者には理解されよう。上記のプログラムはコンピュータ可読記憶媒体に格納されてもよい。プログラムが動作するとき、上記の方法の実施形態のステップが実行される。上記の記憶媒体としては、プログラムコードを格納することが可能な、ROM、RAM、磁気ディスク、または光ディスクなどのさまざまな媒体が挙げられる。
【０２２８】
前述の説明は、本発明の具体的な実施形態でしかなく、本発明の保護範囲を限定することは意図していない。本発明において開示される技術的範囲内の分野の当業者には容易に想到される任意の変形形態または置換形態が、本発明の保護範囲に含まれるものとする。したがって、本発明の保護範囲は特許請求の範囲の保護範囲に準ずるものとする。
【符号の説明】
【０２２９】
1101  第1の情報受信ユニット
1102  第2の情報受信ユニット
1103  検出ユニット
1104  第1の情報送信ユニット
1201  第3の情報受信ユニット
1202  第2の情報送信ユニット
1301  検出ユニット
1302  情報通知ユニット
1301  検出ユニット
1302  情報通知ユニット
1303  第4の情報受信ユニット
1312  情報獲得サブユニット
1322  情報通知サブユニット
1601  第5の情報受信ユニット
1602  情報同報通信ユニット
1801  ユーザ受信ユニット
1802  ユーザ検出ユニット
1803  ユーザ測定ユニット
1813  ユーザ送信サブユニット
1823  ユーザ測定サブユニット
2001  第1の基地局
2002  第2の基地局
2101  第1の基地局
2102  第2の基地局
2103  ユーザ機器
【図１】
2014531842.tif 000003
【図２】
2014531842.tif 000004
【図３】
2014531842.tif 000005
【図４】
2014531842.tif 000006
【図５】
2014531842.tif 000007
【図６】
2014531842.tif 000008
【図７】
2014531842.tif 000009
【図８】
2014531842.tif 000010
【図９】
2014531842.tif 000011
【図１０】
2014531842.tif 000012
【図１１】
2014531842.tif 000013
【図１２】
2014531842.tif 000014
【図１３】
2014531842.tif 000015
【図１４】
2014531842.tif 000016
【図１５】
2014531842.tif 000017
【図１６】
2014531842.tif 000018
【図１７】
2014531842.tif 000019
【図１８】
2014531842.tif 000020
【図１９】
2014531842.tif 000021
【図２０】
2014531842.tif 000022
【図２１】
2014531842.tif 000023
【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
セル発見方法であって、
ハンドオーバエリアの第1の無線周波数情報を第1の基地局によって受信するステップと、
前記第1の基地局のセルによってサービス提供されるユーザ機器が報告する第2の無線周波数情報を前記第1の基地局によって受信するステップと、
前記ユーザ機器によって報告される前記第2の無線周波数情報が前記ハンドオーバエリアの前記第1の無線周波数情報に一致するかどうかを検出するステップと、
前記ユーザ機器によって報告される前記第2の無線周波数情報が、前記ハンドオーバエリアの前記第1の無線周波数情報に一致する場合、第2の基地局のセルの周波数にあるセルまたは前記第2の基地局の前記セルのみの信号強度および/もしくは信号品質を測定するように前記ユーザ機器に指示するために、前記第2の無線周波数情報を報告する前記ユーザ機器に測定指示メッセージを前記第1の基地局によって送信するステップと
を含む、方法。
【請求項２】
前記ユーザ機器によって報告される前記第2の無線周波数情報が前記ハンドオーバエリアの前記第1の無線周波数情報に一致するかどうかを検出する前記ステップが、
前記ユーザ機器によって報告される前記第2の無線周波数情報が、前記ハンドオーバエリアの前記第1の無線周波数情報に含まれる無線周波数範囲の値に入るかどうかを検出するステップ、または
前記ユーザ機器によって報告される前記第2の無線周波数情報と、前記ハンドオーバエリアの前記第1の無線周波数情報との差が、事前に設定される無線周波数閾値より小さいかどうかを検出するステップ
を含む、請求項1に記載の方法。
【請求項３】
前記ハンドオーバエリアの前記第1の無線周波数情報および前記ユーザ機器によって報告される前記第2の無線周波数情報が、以下の項目、すなわち、基準信号受信電力(RSRP)、基準信号受信品質(RSRQ)、および到来角(AOA)のうちの少なくとも1つを含む、請求項2に記載の方法。
【請求項４】
ハンドオーバエリアの第1の無線周波数情報を第1の基地局によって受信する前記ステップが、
前記ハンドオーバエリアの前記第1の無線周波数情報を前記第1の基地局によって受信するステップであって、前記第1の無線周波数情報が前記第2の基地局によって送信され、前記ハンドオーバエリアの前記第1の無線周波数情報が、前記第2の基地局の前記セルによってサービス提供される前記ユーザ機器によって前記第2の基地局に報告される、ステップ、または
前記ハンドオーバエリアの前記第1の無線周波数情報を前記第1の基地局によって受信するステップであって、前記第2の基地局の前記セルから前記第1の基地局の前記セルにハンドオーバし、依然として前記ハンドオーバエリア内に位置する前記ユーザ機器によって、前記第1の無線周波数情報が送信される、ステップを含む、請求項1から3のいずれか一項に記載の方法。
【請求項５】
セル発見方法であって、
ハンドオーバエリアの第1の無線周波数情報をユーザ機器によって受信するステップであって、前記第1の無線周波数情報が第1の基地局によって同報通信される、ステップと、
前記ハンドオーバエリアの前記第1の無線周波数情報が、前記ユーザ機器によって獲得される第2の無線周波数情報に一致するかどうかを前記ユーザ機器によって検出するステップと、
前記ハンドオーバエリアの前記第1の無線周波数情報が、前記ユーザ機器によって獲得される第2の無線周波数情報に一致する場合、第2の基地局のセルの周波数にあるセルまたは前記第2の基地局の前記セルのみの信号強度および/もしくは信号品質を前記ユーザ機器によって測定するステップと
を含む、方法。
【請求項６】
前記ユーザ機器によって獲得される前記第2の無線周波数情報と、前記ハンドオーバエリアの前記第1の無線周波数情報との一致が、
前記ユーザ機器によって獲得される前記第2の無線周波数情報が、前記ハンドオーバエリアの前記第1の無線周波数情報に含まれる無線周波数範囲の値に入ること、または
前記ユーザ機器によって獲得される前記第2の無線周波数情報と、前記ハンドオーバエリアの前記第1の無線周波数情報との差が、事前に設定される無線周波数閾値より小さいことを含む、請求項5に記載の方法。
【請求項７】
第2の基地局のセルの周波数にあるセルまたは前記第2の基地局の前記セルのみの信号強度および/もしくは信号品質を前記ユーザ機器によって測定する前記ステップが、
前記ハンドオーバエリアの前記第1の無線周波数情報が、前記ユーザ機器によって獲得される第2の無線周波数情報に一致する場合、ユーザ通知メッセージを前記第1の基地局に前記ユーザ機器によって送信するステップと、前記第1の基地局からの命令を前記ユーザ機器によって受信するステップと、前記第2の基地局の前記セルの前記周波数にある前記セルまたは前記第2の基地局の前記セルのみの前記信号強度および/もしくは前記信号品質を前記ユーザ機器によって測定するステップとをさらに含む、請求項6に記載の方法。
【請求項８】
第1の基地局であって、
ハンドオーバエリアの第1の無線周波数情報を受信するように構成されている第1の情報受信ユニットと、
前記第1の基地局のセルによってサービス提供されるユーザ機器が報告する第2の無線周波数情報を受信するように構成されている第2の情報受信ユニットと、
前記ユーザ機器によって報告される前記第2の無線周波数情報が前記ハンドオーバエリアの前記第1の無線周波数情報に一致するかどうかを検出するように構成されている検出ユニットと、
前記ユーザ機器によって報告される前記第2の無線周波数情報が前記ハンドオーバエリアの前記第1の無線周波数情報に一致することを前記検出ユニットが検出したとき、第2の基地局のセルの周波数にあるセルまたは前記第2の基地局の前記セルのみの信号強度および/もしくは信号品質を測定するように前記ユーザ機器に指示するために、前記第2の無線周波数情報を報告する前記ユーザ機器に測定指示メッセージを送信するように構成されている第1の情報送信ユニットと
を備える、第1の基地局。
【請求項９】
前記検出ユニットが、
前記ユーザ機器によって報告される前記第2の無線周波数情報が、前記ハンドオーバエリアの前記第1の無線周波数情報に含まれる無線周波数範囲の値に入るかどうかを検出すること、または
前記ユーザ機器によって報告される前記第2の無線周波数情報と、前記ハンドオーバエリアの前記第1の無線周波数情報との差が、事前に設定される無線周波数閾値より小さいかどうかを検出すること
を行うようにさらに構成されている、請求項8に記載の第1の基地局。
【請求項１０】
前記ハンドオーバエリアの前記第1の無線周波数情報および前記ユーザ機器によって報告される前記第2の無線周波数情報が、以下の項目、すなわち、基準信号受信電力(RSRP)、基準信号受信品質(RSRQ)、および到来角(AOA)のうちの少なくとも1つを含む、請求項9に記載の第1の基地局。
【請求項１１】
前記第1の情報受信ユニットが、前記ハンドオーバエリアの前記第1の無線周波数情報を受信するようにさらに構成されており、前記第1の無線周波数情報は前記第2の基地局によって送信され、前記ハンドオーバエリアの前記第1の無線周波数情報は、前記第2の基地局の前記セルによってサービス提供される前記ユーザ機器によって前記第2の基地局に報告される、または
前記第1の情報受信ユニットが、前記ハンドオーバエリアの前記第1の無線周波数情報を受信するようにさらに構成されており、前記第2の基地局の前記セルから前記第1の基地局の前記セルにハンドオーバし、依然として前記ハンドオーバエリア内に位置する前記ユーザ機器によって、前記第1の無線周波数情報が送信される、請求項8から10のいずれか一項に記載の第1の基地局。
【請求項１２】
ユーザ機器であって、
ハンドオーバエリアの第1の無線周波数情報を受信するように構成されているユーザ受信ユニットであって、前記第1の無線周波数情報が第1の基地局によって同報通信される、ユーザ受信ユニットと、
前記ハンドオーバエリアの前記第1の無線周波数情報が、前記ユーザ機器によって獲得される第2の無線周波数情報に一致するかどうかを検出するように構成されているユーザ検出ユニットと、
前記ハンドオーバエリアの前記第1の無線周波数情報が、前記ユーザ機器によって獲得される第2の無線周波数情報に一致することを前記ユーザ検出ユニットが検出したとき、第2の基地局のセルの周波数にあるセルまたは前記第2の基地局の前記セルのみの信号強度および/もしくは信号品質を測定するように構成されているユーザ測定ユニットと
を備える、ユーザ機器。
【請求項１３】
前記ユーザ検出ユニットが、前記ユーザ機器によって獲得される前記第2の無線周波数情報が、前記ハンドオーバエリアの前記第1の無線周波数情報に含まれる無線周波数範囲の値に入るかどうかを検出すること、または
前記ユーザ機器によって獲得される前記第2の無線周波数情報と、前記ハンドオーバエリアの前記第1の無線周波数情報との差が、事前に設定される無線周波数閾値より小さいことを検出すること
を行うように構成されている、請求項12に記載のユーザ機器。
【請求項１４】
前記ユーザ測定ユニットが、
前記ハンドオーバエリアの前記第1の無線周波数情報が、前記ユーザ機器によって獲得される第2の無線周波数情報に一致することを前記ユーザ検出ユニットが検出したとき、ユーザ通知メッセージを前記第1の基地局に送信するように構成されているユーザ送信サブユニットと、
前記第1の基地局からの命令に従って、前記第2の基地局の前記セルの前記周波数にある前記セルまたは前記第2の基地局の前記セルのみの信号強度および/もしくは信号品質を測定するように構成されているユーザ測定サブユニットと
をさらに備える、請求項13に記載のユーザ機器。
【請求項１５】
請求項8から11のいずれか一項に記載の第1の基地局および前記第1の基地局と通信するユーザ機器、または請求項12から14のいずれか一項に記載のユーザ機器および前記ユーザ機器と通信する第1の基地局を備える、セル発見システム。
【国際調査報告】
2014531842.tif 000024
2014531842.tif 000025
2014531842.tif 000026
2014531842.tif 000027
2014531842.tif 000028
2014531842.tif 000029